(57)【要約】【課題】解像度により表示できない映像が提供される場合、視聴者と放送事業者がより満足できる受信装置、受信方法、およびプログラムを提供する。【解決手段】受信部は映像を含む番組の放送信号を受信し、表示処理部は前記映像の解像度が、前記映像を表示部が表示できない表示不能解像度である場合、前記表示部の表示状態を所定の表示状態に制御し、前記映像の解像度が、前記映像を前記表示部が表示できる表示可能解像度である場合、前記表示部に前記映像を表示させる。【選択図】図８
2017011697.tif 000002
【特許請求の範囲】
【請求項１】
映像を含む番組の放送信号を受信する受信部と、
前記映像の解像度が、前記映像を表示部が表示できない表示不能解像度である場合、前記表示部の表示状態を所定の表示状態に制御し、
前記映像の解像度が、前記映像を前記表示部が表示できる表示可能解像度である場合、前記表示部に前記映像を表示させる表示処理部と、
を備える受信装置。
【請求項２】
前記映像の解像度が、前記表示不能解像度である場合、所定の消費電力よりも消費電力が低い動作モードである消費電力低減モードで前記表示処理部を動作させ、操作入力に応じて前記消費電力低減モードの終了時刻を定める動作制御部、
をさらに備える請求項１に記載の受信装置。
【請求項３】
前記動作制御部は、
前記映像の解像度が前記表示不能解像度である場合と、前記表示可能解像度である場合とで異なる態様で、前記映像の解像度に対応する発光部を点灯させる
請求項２に記載の受信装置。
【請求項４】
前記動作制御部は、
前記映像の解像度が前記表示不能解像度である場合、前記映像の番組が放送されるチャンネルにおいて放送予定の番組から映像の解像度が前記表示可能解像度である表示可能番組を検索し、前記表示可能番組の受信予約に関する案内情報を前記表示部に表示させる
請求項２または請求項３のいずれか一項に記載の受信装置。
【請求項５】
前記放送信号で搬送され、放送中または放送予定の番組に関する番組配列情報から受信中の番組に対応する他のコンテンツに関するリンク情報を取得し、前記映像の解像度が、前記表示不能解像度である場合、前記受信部に前記他のコンテンツを受信させる動作制御部、
をさらに備える請求項１から請求項４のいずれか一項に記載の受信装置。
【請求項６】
前記番組配列情報は、番組毎の番組情報を含み、
前記番組毎の番組情報を当該番組の放送時間ならびにチャンネルに基づいて配列し、前記リンク情報の少なくとも一部を受信中の番組の番組情報を表示する表示領域に表す電子番組表を生成する番組表生成部と、
を備える請求項５に記載の受信装置。
【請求項７】
前記動作制御部は、前記他のコンテンツが利用できるか否かを判定する
請求項５または請求項６に記載の受信装置。
【請求項８】
受信装置における受信方法であって、
映像を含む番組の放送信号を受信する受信過程と、
前記映像の解像度が、前記映像を表示部が表示できない表示不能解像度である場合、前記表示部の表示状態を所定の表示状態に制御し、
前記映像の解像度が、前記映像を前記表示部が表示できる表示可能解像度である場合、前記表示部に前記映像を表示させる表示処理過程と、
を有する受信方法。
【請求項９】
映像を含む番組の放送信号を受信する受信部を備える受信装置のコンピュータに、
前記映像の解像度が、前記映像を表示部が表示できない表示不能解像度である場合、前記表示部の表示状態を所定の表示状態に制御し、
前記映像の解像度が、前記映像を前記表示部が表示できる表示可能解像度である場合、前記表示部に前記映像を表示させる表示処理ステップ、
を実行させるためのプログラム。
【発明の詳細な説明】
【技術分野】
【０００１】
本発明は、受信装置、受信方法、およびプログラムに関する。
【背景技術】
【０００２】
近年、従来の高精細テレビジョン放送（ＨＤＴＶ：Ｈｉｇｈ  Ｄｅｆｉｎｉｔｉｏｎ  Ｔｅｌｅｖｉｓｉｏｎ）よりも映像の解像度が高い超高精細テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）が普及しつつある。ＵＨＤＴＶでは、主に解像度が４Ｋ又は８Ｋである映像を含む映像コンテンツが提供される。４Ｋとは、水平方向３８４０画素、垂直方向２１６０画素の解像度を意味する。８Ｋとは、水平方向７６８０画素、垂直方向４３２０画素の解像度を意味する。
【０００３】
解像度が４Ｋである映像コンテンツを表示可能な受信装置（以下、４Ｋテレビ、と呼ぶ）には、従来よりも解像度が高い映像の視聴を促進するための手段を備えるものがある。例えば、特許文献１には、受信した受信データについて算出された受信信号品質値が、当該映像データを所定の映像品質以上の映像品質で復号可能な受信信号品質値の基準を満たす場合に、当該映像データが送信されているチャンネルを受信可能なチャンネルとして登録する放送受信装置について記載されている。この放送受信装置により、表示性能に比べて低い受信品質でしか復号できない映像データが送信されているチャンネルの登録を防止する。
【０００４】
高解像度の映像を表示する表示デバイスは、多くの画素を備えるため製造、開発コストが高くなりがちである。例えば、解像度が８Ｋである映像の表示に要する画素数は、解像度が４Ｋである映像の表示に要する画素数の４倍である。このことから、解像度が８Ｋである映像コンテンツを表示可能な受信装置（以下、８Ｋテレビ、と呼ぶ）よりも、４Ｋテレビの普及が先行する可能性がある。
【０００５】
他方、ＵＨＤＴＶによる放送サービスにおいて、同一のチャンネルを通じて解像度が４Ｋである映像（以下、４Ｋ映像、と呼ぶ）を提供する番組（以下、４Ｋ番組、と呼ぶ）と、解像度が８Ｋである映像（以下、８Ｋ映像）を含む番組（以下、８Ｋ番組、と呼ぶ）を、異なる時間帯に提供することが検討されている。そのため、４Ｋテレビは、４Ｋ番組の終了後、８Ｋ番組が開始すると、８Ｋ番組に係る映像を表示することができず、いわゆる黒画面を表示することがある。また、受信装置には、有効な受信信号が一定時間入力されないと、通常よりも電力消費量が低い動作モードへ切り替える機能や、動作を停止する機能を有するものがある。
【先行技術文献】
【特許文献】
【０００６】
【特許文献１】特開２０１１−２４４３０８号公報
【発明の概要】
【発明が解決しようとする課題】
【０００７】
しかしながら、上述した動作状態の変化は必ずしも視聴者の意図に沿うものではない。例えば、視聴者が視聴可能な番組の再開を期待して受信装置への操作を行わずに放置する場合がある。また、受信装置が黒画面を表示するとき、視聴者が視聴対象のチャンネルを切り替えることがある。このことは、選局されたチャンネルへの視聴率の低下を招く。視聴率の低下は、番組を提供する放送事業者にとり一般に望ましくない事象である。
【０００８】
本発明は、上記の課題に基づいてなされたものであり、解像度により表示できない映像が提供される場合、視聴者と放送事業者がより満足できる受信装置、受信方法、およびプログラムを提供することを目的としている。
【課題を解決するための手段】
【０００９】
本発明は上記の課題を解決するためになされたものであり、本発明の一態様は、映像を含む番組の放送信号を受信する受信部と、前記映像の解像度が、前記映像を表示部が表示できない表示不能解像度である場合、前記表示部の表示状態を所定の表示状態に制御し、
前記映像の解像度が、前記映像を前記表示部が表示できる表示可能解像度である場合、前記表示部に前記映像を表示させる表示処理部と、を備える受信装置である。
【発明の効果】
【００１０】
本発明によれば、解像度により表示できない映像が提供される場合、視聴者と放送事業者がより満足できる受信装置、受信方法、およびプログラムを提供することができる。
【図面の簡単な説明】
【００１１】
【図１】第１の実施形態に係る放送システムの概略構成を示すブロック図である。
【図２】ＭＰＴのデータ構造の一例を示す図である。
【図３】映像コンポーネント記述子のデータ構造の一例を示す図である。
【図４】映像信号解像度の値と垂直方向の画素数の関係を示す表である。
【図５】ＭＨ−ＥＩＴのデータ構造の一例を示す図である。
【図６】ＭＨ−短形式イベント記述子のデータ構造の一例を示す図である。
【図７】ＭＨ−拡張形式イベント記述子のデータ構造の一例を示す図である。
【図８】第１の実施形態に係る受信装置の概略構成を示すブロック図である。
【図９】第１の実施形態に係る電子番組表の一例を示す図である。
【図１０】解像度が表示可能解像度である映像の一表示例を示す図である。
【図１１】コーション映像の一表示例を示す図である。
【図１２】第１の実施形態に係る受信処理を示すフローチャートである。
【図１３】第２の実施形態に係る電子番組表の一例を示す図である。
【図１４】第２の実施形態に係る表示部の解像度が８Ｋである場合における映像の表示例を示す図である。
【図１５】第２の実施形態に係る表示部の解像度が４Ｋである場合における映像の表示例を示す図である。
【図１６】第２の実施形態に係る受信処理を示すフローチャートである。
【図１７】第３の実施形態に係る送信処理を示すフローチャートである。
【図１８】ハイパーリンク記述子のデータ構造の一例を示す図である。
【図１９】第３の実施形態に係る受信装置の概略構成を示すブロック図である。
【図２０】第３の実施形態に係る電子番組表の一例を示す図である。
【図２１】第３の実施形態に係る表示部の解像度が４Ｋ又は８Ｋである場合における映像の表示例を示す図である。
【図２２】第３の実施形態に係る電子番組表の他の例を示す図である。
【図２３】第３の実施形態に係る電子番組表のさらに他の例を示す図である。
【図２４】第３の実施形態に係る受信処理を示すフローチャートである。
【図２５】第４の実施形態に係る表示部の外観の一例を示す図である。
【図２６】第４の実施形態に係る受信装置の動作状態と発光部の点灯状態との対応関係の一例を示す表である。
【図２７】第４の実施形態に係る受信処理を示すフローチャートである。
【図２８】第５の実施形態に係る受信予約表示情報の一例を示す図である。
【図２９】第５の実施形態に係る受信処理を示すフローチャートである。
【発明を実施するための形態】
【００１２】
（第１の実施形態）
以下、本発明の第１の実施形態について、図面を参照して説明する。
図１は、本実施形態に係る放送システム１の概略構成を示すブロック図である。
放送システム１は、受信装置１０と、送信装置２０とを含んで構成される。放送システム１において、受信装置１０と、送信装置２０との台数は、一般的にそれぞれ複数である。以下の説明においては、説明を容易にするため、受信装置１０と、送信装置２０との台数が、それぞれ１台である場合について説明する。また、以下の説明では、放送システム１におけるデジタル放送のメディアトランスポート方式として、ＭＭＴ（ＭＰＥＧ  Ｍｅｄｉａ  Ｔｒａｎｓｐｏｒｔ）方式が採用されている場合を主に例にする。
【００１３】
送信装置２０は、番組データｉ１と、制御データとを多重化した多重化データを示す信号を電波で送信する。制御データは、番組配列情報ｉ２と、番組構成情報ｉ３と、を含むデータである。送信装置２０は、例えば、放送局などの放送事業者が有する送信装置である。番組データｉ１は、番組を構成する映像を示す映像データを少なくとも含むコンテンツデータである。なお、以下の説明においては、番組データｉ１が、映像データと音声データの両方を含むコンテンツデータであるものとして説明する。なお、映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。
【００１４】
番組配列情報ｉ２は、その時点（現在）において各チャンネルで放送される番組と、その時点から所定時間後までの間に各チャンネルで放送予定の番組のそれぞれに関する情報を含む。従って、番組配列情報ｉ２には、番組データｉ１に係る番組、つまり、その時点で放送される番組に関する情報が含まれる。番組配列情報ｉ２には、各番組について含まれる放送情報として、例えば、番組識別情報と、放送日時情報とがある。ここで、番組識別情報は、例えば、放送される番組の種類および配列などの番組やその属性を識別する情報である。また、放送日時情報は、番組の放送日時を示す情報である。その他、番組配列情報ｉ２には、電子番組表を生成する際に用いられる種々の情報が含まれている。番組配列情報ｉ２として、例えば、ＭＭＴ−ＳＩ（ＭＭＴ−Ｓｙｓｔｅｍ  Ｉｎｆｏｒｍａｔｉｏｎ）を構成するＭＨ−ＥＩＴ（Ｅｖｅｎｔ  Ｉｎｆｏｒｍａｔｉｏｎ  Ｔａｂｌｅ）が含まれる。ＭＨ−ＥＩＴの例については後述する。
【００１５】
番組構成情報ｉ３は、番組データｉ１に係る番組、つまり放送される番組の構成要素であるアセットのリストや、それらの諸要件を示す要件情報を含む。アセットとは、番組の構成要素である要素データである。要件情報として、例えば、番組データｉ１に含まれる映像データの解像度を示す情報が含まれる。番組構成情報ｉ３として、例えば、ＭＭＴ−ＳＩを構成するＭＰＴ（ＭＭＴ  Ｐａｃｋａｇｅ  Ｔａｂｌｅ；ＭＰテーブル）が含まれる。ＭＰＴの例については後述する。
【００１６】
送信装置２０は、番組データｉ１と、制御データとを多重化した多重化データを所定の暗号化方式（例えば、ＡＥＳ：Ａｄｖａｎｃｅｄ  Ｅｎｃｒｙｐｔｉｏｎ  Ｓｔａｎｄａｒｄ）で暗号化する。そして、送信装置２０は、暗号化された多重化データについて誤り訂正符号化を行い、生成された誤り訂正符号を多重化データに付加する。送信装置２０は、誤り訂正符号として、例えば、ＢＣＨ（Ｂｏｓｅ  Ｃｈａｕｄｈｕｒｉ  Ｈｏｃｑｕｅｎｇｈｅｍ）符号とＬＤＰＣ（Ｌｏｗ  Ｄｅｎｓｉｔｙ  Ｐａｒｉｔｙ  Ｃｈｅｃｋ）符号を付加する。送信装置２０は、誤り訂正符号を付加した多重化データを所定の変調方式（例えば、８ＰＳＫ：８  Ｐｈａｓｅ  Ｓｈｉｆｔ  Ｋｅｙｉｎｇ（八相位相変調）、ＡＰＳＫ：Ａｍｐｌｉｔｕｄｅ  ａｎｄ  Ｐｈａｓｅ  Ｓｈｉｆｔ  Ｋｅｙｉｎｇ（振幅位相変調））を用いて変調する。送信装置２０は、変調により生成された放送信号を、放送伝送路ＢＴを介して受信装置１０に送信する。放送伝送路ＢＴは、不特定の送信先として１台又は複数台の受信装置１０に一斉に放送信号を送信することができる伝送路である。図１に示す例では、放送伝送路ＢＴは、放送信号を電波で伝送する伝送路である。この例では、送信装置２０は、変調により生成された基底帯域の放送信号を、所定のチャンネルの周波数帯域の信号にアップコンバートする。送信装置２０は、アップコンバートにより生成された放送信号を電波として放送伝送路ＢＴに送出する。放送伝送路ＢＴは、その一部又は全部に無線又は有線の通信ネットワークを含んで構成されてもよい。
【００１７】
上述した多重化データから放送信号に変換するまでの一連の処理、及びそれらの逆処理、つまり、受信装置１０において放送信号から多重化データに変換するまでの処理については、次の文献に詳しく記載されている。
「高度広帯域衛星デジタル放送の伝送方式  標準規格」，一般社団法人  電波産業会，２０１４年７月，ＡＲＩＢ  ＳＴＤ−Ｂ４４，２．０版
【００１８】
受信装置１０は、送信装置２０から放送伝送路ＢＴを介して伝送された放送信号を受信する。受信装置１０は、放送信号から番組データｉ１と要素データを抽出する。受信装置１０は、抽出した要素データに含まれる番組構成情報ｉ３を解析して番組データｉ１に含まれる映像データの解像度を判定する。受信装置１０は、判定した解像度が、表示部１４（図９）により表示可能な解像度であるか否かを判定する。表示可能な解像度であると判定する場合、受信装置１０は、表示部１４に映像データに基づく映像を表示させる。表示可能な解像度ではないと判定する場合、受信装置１０は、表示部１４に所定の映像を表示させる。
【００１９】
また、受信装置１０は、抽出した要素データに含まれる番組構成情報ｉ３が示すチャンネル毎の番組の放送時間を判定する。受信装置１０は、各番組について判定した放送時間に基づいてチャンネル毎の番組それぞれの番組情報を放送時間に基づいて配列して電子番組表を生成する。電子番組表において、各番組の番組情報の表示態様が、当該番組の映像の解像度が、表示部１４において当該映像データに基づく映像を表示できる表示可能解像度であるか否かに応じて異なってもよい。受信装置１０は、生成した電子番組表を表示部１４に表示させる。受信装置１０の構成については、後述する。
【００２０】
（ＭＰＴ）
次に、本実施形態に係るＭＰＴのデータ構造について説明する。図２は、ＭＰＴのデータ構造の一例を示す図である。ＭＰＴは、放送される各番組の構成要素であるアセット毎の属性や仕様を示すパラメータなど、番組の構成を示すテーブルである。具体的には、ＭＰＴは、アセットタイプ（ａｓｓｅｔ＿ｔｙｐｅ）と、ロケーション情報（ＭＭＴ＿ｇｅｎｅｒａｌ＿ｌｏｃａｔｉｏｎ＿ｉｎｆｏ）と、アセット記述子領域（ａｓｓｅｔ＿ｄｅｓｃｒｉｐｔｏｒｓ＿ｂｙｔｅ）をアセット毎に含んで構成される。アセットタイプ（ａｓｓｅｔ＿ｔｙｐｅ）は、アセットの種類を示す情報である。例えば、アセットタイプとして「ｈｖｃ１」が記述されるアセットは映像を示し、アセットタイプとして「ｍｐ４ａ」が記述されるアセットは音声を示す。
ロケーション情報は、該当するアセットの伝送経路を示す情報である。アセット記述子領域は、アセットについての情報を記述する記述子を格納する領域である。アセット記述子領域に記述される記述子には、例えば、映像コンポーネント記述子（Ｖｉｄｅｏ＿Ｃｏｍｐｏｎｅｎｔ＿Ｄｅｓｃｒｉｐｔｏｒ）がある。
【００２１】
（映像コンポーネント記述子）
次に、本実施形態に係る映像コンポーネント記述子のデータ構造について説明する。図３は、映像コンポーネント記述子のデータ構造の一例を示す図である。映像コンポーネント記述子は、映像コンポーネントに関するパラメータや説明を示す記述子である。映像コンポーネント記述子には、映像信号解像度（ｖｉｄｅｏ＿ｒｅｓｏｌｕｔｉｏｎ）が記述される。映像信号解像度（ｖｉｄｅｏ＿ｒｅｓｏｌｕｔｉｏｎ）として、１フレーム内の垂直方向の画素数を表す値が記述される。
【００２２】
図４は、映像信号解像度の値と垂直方向の画素数の関係を示す表である。
図４の左列、右列は、それぞれ映像信号解像度（ｖｉｄｅｏ＿ｒｅｓｏｌｕｔｉｏｎ）に記述される値と、その値が意味する垂直方向の画素数とを示す。映像信号解像度の値が大きいほど解像度が高いことを示す。例えば、記述される値が「６」とは、垂直方向の画素数が２１６０個であること、つまり、映像の解像度が４Ｋ（３８４０×２１６０）であることを示す。記述される値が「７」とは、垂直方向の画素数が４３２０個であること、つまり、映像の解像度が８Ｋ（７６８０×４３２０）であることを示す。
【００２３】
（ＭＨ−ＥＩＴ）
次に、本実施形態に係るＭＨ−ＥＩＴのデータ構造について説明する。図５は、ＭＨ−ＥＩＴのデータ構造の一例を示す図である。ＭＨ−ＥＩＴは、各番組の名称、放送日時、放送内容の説明など、番組に関する種々の情報を示すテーブルである。具体的には、ＭＨ−ＥＩＴには、イベント識別（ｅｖｅｎｔ＿ｉｄ）、開始時刻（ｓｔａｒｔ＿ｔｉｍｅ）及び継続時間（ｄｕｒａｔｉｏｎ）を含んで構成される。イベント識別（ｅｖｅｎｔ＿ｉｄ）には、例えば、番組の識別情報などのイベントの識別番号が示される。開始時刻（ｓｔａｒｔ＿ｔｉｍｅ）には、イベント、つまり、番組の開始時刻（日時）が示される。また、継続時間（ｄｕｒａｔｉｏｎ）は、イベントの継続時間、つまり、番組の放送時間（長さ）が示される。
【００２４】
また、ＭＨ−ＥＩＴには、イベント識別（ｅｖｅｎｔ＿ｉｄ）毎に記述子領域（ｄｅｓｃｒｉｐｔｏｒ（））が設けられている。記述子領域（ｄｅｓｃｒｉｐｔｏｒ（））は、記述子を格納する領域である。本実施形態では、記述子領域（ｄｅｓｃｒｉｐｔｏｒ（））には、ＭＨ−短形式イベント記述子（ＭＨ＿Ｓｈｏｒｔ＿Ｅｖｅｎｔ＿Ｄｅｓｃｒｉｐｔｏｒ（））、ＭＨ−拡張形式イベント記述子（ＭＨ＿Ｅｘｔｅｎｄｅｄ＿Ｅｖｅｎｔ＿Ｄｅｓｃｒｉｐｔｏｒ（））及び映像コンポーネント記述子が含まれる。ＭＨ−短形式イベント記述子及びＭＨ−拡張形式イベント記述子に、番組名や番組の説明などの情報が記述される。映像コンポーネント識別子には、上述したように番組を構成する映像データの解像度などの情報が記述される。
【００２５】
（ＭＨ−短形式イベント記述子）
次に、ＭＨ−短形式イベント記述子のデータ構造について説明する。図６は、ＭＨ−短形式イベント記述子のデータ構造の一例を示す図である。ＭＨ−短形式イベント記述子は、番組名（ｅｖｅｎｔ＿ｎａｍｅ＿ｃｈａｒ）、および番組記述（ｔｅｘｔ＿ｃｈａｒ）を含んで構成される。番組名には、番組の名称が記述される。番組記述には、番組の説明が記述される。
【００２６】
（ＭＨ−拡張形式イベント記述子のデータ構造）
次に、ＭＨ−拡張形式イベント記述子のデータ構造について説明する。図７は、ＭＨ−拡張形式イベント記述子のデータ構造の一例を示す図である。ＭＨ−拡張形式イベント記述子は、項目ごとの項目名（ｉｔｅｍ＿ｄｅｓｃｒｉｐｔｉｏｎ＿ｃｈａｒ）、および項目記述（ｉｔｅｍ＿ｃｈａｒ）を含んで構成される。項目名には、項目の名称が記述される。項目記述には、項目の内容が記述される。項目名と項目記述には、例えば、その番組の出演者が記述される。例えば、項目名「プロデューサー」であり、項目記述「日本  太郎」である場合、その項目名と項目記述とは、番組のプロデューサーが日本太郎であることを表している。
また、ＭＨ−拡張形式イベント記述子には、拡張記述（ｔｅｘｔ＿ｃｈａｒ）を含んで構成される。拡張記述には、項目なしの番組についての情報が記述されることがある。
【００２７】
（受信装置）
次に、本実施形態に係る受信装置１０の構成について説明する。
図８は、本実施形態に係る受信装置１０の概略構成を示すブロック図である。
受信装置１０は、放送受信部１１と、操作入力部１２と、拡声部１３と、表示部１４と、記憶部１５と、制御部１６とを含んで構成される。制御部１６は、復調部１６１と、分離部１６２と、音声処理部１６３と、表示処理部１６４と、解像度判定部１６５と、動作制御部１６６と、を含んで構成される。また、表示処理部１６４は、番組表生成部１６４１と、選局処理部１６４２と、映像処理部１６４３とを含んで構成される。
【００２８】
放送受信部１１は、選局処理部１６４２から入力された選局信号で指示されるチャンネルに対応する周波数帯域の放送信号を電波で受信する。放送信号として、送信装置２０から放送伝送路ＢＴを介して伝送された放送信号が受信される。放送受信部１１は、受信した放送信号を基底周波数帯域にダウンコンバートする。放送受信部１１は、ダウンコンバートにより生成された放送信号を復調部１６１に出力する。放送受信部１１は、例えば、チューナーを含んで構成される。
【００２９】
操作入力部１２は、受信装置１０のユーザーである視聴者の操作に基づいて生成された操作信号を取得する。操作入力部１２は、取得した操作信号を制御部１６に出力する。操作入力部１２は、例えば、リモートコントローラＲＣから赤外線で伝送された操作信号を受信する赤外線インタフェースを含んで構成される。リモートコントローラＲＣは、複数のボタンを備え、視聴者の操作により押下されたボタンに対応する指示（コマンド）を示す操作信号を生成する。指示には、放送信号を受信する受信チャンネル、表示部１４に表示される各種の情報の位置などがある。各種の情報の位置として、電子番組表を構成する番組のうち１つの番組の番組情報を配置する表示枠の位置などがある。
【００３０】
なお、操作入力部１２は、ボタン、つまみなどの、物理的な部材を含んで構成され、部材が受け付けた操作に応じた操作信号を生成してもよい。また、操作入力部１２は、他の電子機器からの操作信号を無線又は有線で受信する入出力インタフェースを含んで構成されてもよい。他の電子機器は、例えば、画像を表示可能なディスプレイと、操作入力を受け付けるタッチセンサなどのポインティングデバイスとを備える電子機器、例えば、多機能携帯電話機（いわゆる、スマートフォンを含む）、タブレット端末装置などでもよい。
【００３１】
拡声部１３は、制御部１６の音声処理部１６３から入力された音声信号に基づく音声を再生する。拡声部１３は、例えば、スピーカーを含んで構成される。拡声部１３は、例えば、放送信号で送信装置２０から搬送される番組データｉ１に基づく音声を再生する。
【００３２】
表示部１４は、表示処理部１６４から入力された映像信号に基づく映像を表示する。表示部１４は、例えば、放送信号で送信装置２０から搬送された番組データｉ１に基づく映像、番組配列情報ｉ２に基づく電子番組表などを表示する。表示部１４は、例えば、液晶パネルを含んで構成される。
【００３３】
記憶部１５は、制御部１６または制御部１６内の構成要素が種々の処理を実行するためのプログラム、処理に用いられるデータ、処理により生成されるデータを記憶する。記憶部１５は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体を含んで構成される。なお、記憶部１５は、その他の記憶媒体や、ＨＤＤ（Ｈａｒｄ  ｄｉｓｋ  ｄｒｉｖｅ）などの記憶装置を含んで構成されてもよい。また、記憶部１５は、例えば、音声処理部１６３が出力する音声信号と表示処理部１６４が出力する画像信号とを対応づけて記憶する記憶媒体、いわゆるビデオメモリを含んで構成されてもよい。
【００３４】
制御部１６は、放送受信部１１から入力された放送信号から番組データｉ１と制御データを検出する。制御部１６は、検出した番組データｉ１に基づく音声信号を拡声部１３に出力し、番組データｉ１に基づく映像信号を表示部１４に出力する。制御部１６は、制御データに含まれる番組配列情報ｉ２から電子番組表を示す映像信号を表示部１４に出力する。但し、映像データの解像度が、映像データに基づく映像を表示部１４が表示できない表示不能解像度である場合、制御部１６は、表示部１４の表示状態を所定の表示状態に制御する。
【００３５】
復調部１６１は、放送受信部１１から入力された放送信号についてフロントエンド処理を行って多重化データに変換する。フロントエンド処理とは、アナログ信号である放送信号を復号し、ディジタルデータである多重化信号に変換するまでの一連の処理である。フロントエンド処理には、復調、誤り訂正及び暗号化の各処理が含まれる。復調、暗号化の各処理は、送信装置２０における変調、暗号化の逆の処理に相当する。誤り訂正処理では、送信装置２０において付加された誤り訂正符号が用いられる。例えば、復調部１６１は、誤り訂正処理として、ＢＣＨ符号を用いてシンドローム復号を行い、ＬＤＰＣ符号を用いてパリティ検査を行う。復調部１６１は、変換した多重化データを分離部１６２に出力する。
【００３６】
分離部１６２は、復調部１６１から入力された多重化データを番組データｉ１と制御データに分離する。分離部１６２は、制御データをさらに番組配列情報ｉ２と番組構成情報ｉ３に分離する。分離部１６２は、分離した番組構成情報ｉ３に含まれるＭＰＴを参照して番組データｉ１から音声データと映像データを抽出する。分離部１６２は、抽出した音声データを音声処理部１６３に出力し、抽出した映像データを表示処理部１６４の映像処理部１６４３に出力する。分離部１６２は、分離した番組配列情報ｉ２を表示処理部１６４の番組表生成部１６４１に出力し、分離した番組構成情報ｉ３を解像度判定部１６５に出力する。
【００３７】
音声処理部１６３は、分離部１６２から入力される音声データを所定の音声復号方式を用いて復号する。音声処理部１６３が用いる音声復号方式は、送信装置２０が送信する音声データの符号化に用いられた音声符号化方式に対応する音声復号方式である。音声処理部１６３は、復号により得られた音声信号を拡声部１３に出力する。
【００３８】
番組表生成部１６４１は、分離部１６２から入力された番組配列情報ｉ２に含まれるＭＨ−ＥＩＴに基づいて電子番組表を生成する。電子番組表を生成するタイミングは、例えば、操作入力部１２から電子番組表の生成を指示する操作信号が入力されるときである。
より具体的には、番組表生成部１６４１は、ＭＨ−ＥＩＴを参照して、ネットワークＩＤ毎に、各番組（イベント）について設定された開始時刻の昇順に、継続時間に応じた長さの表示枠を配列した列を形成する。ネットワークＩＤは、放送信号を受信するチャンネルを表す情報である。番組表生成部１６４１は、各番組について、ＭＨ−短形式イベント記述子から抽出した番組名と番組記述を当該番組の表示枠内に配置し、ＭＨ−拡張形式イベント記述子から項目毎に抽出した項目名と項目記述を当該表示枠内に配置して電子番組表を生成する。
【００３９】
但し、番組表生成部１６４１は、各番組の映像コンポーネント記述子に記述された映像解像度が、表示部１４が映像を表示できる表示可能解像度であるか否かを判定する。番組表生成部１６４１は、映像コンポーネント記述子に記述された映像解像度が、表示部１４の映像解像度と等しいか、より低い場合、表示部１４が映像を表示できる表示可能解像度であると判定する。番組表生成部１６４１は、映像コンポーネント記述子に記述された映像解像度が、表示部１４の映像解像度よりも高い場合、表示部１４が映像を表示できない表示不能解像度であると判定する。番組表生成部１６４１は、生成される電子番組表において、映像解像度が表示可能解像度であると判定された番組の番組情報については、表示不能解像度であると判定される番組よりも訴求性が高い態様で表す。番組表生成部１６４１は、生成した電子番組表を示す映像信号を映像処理部１６４３に出力する。電子番組表の表示例については、後述する。
【００４０】
選局処理部１６４２は、操作入力部１２から入力された操作信号に基づいて、放送信号を受信するチャンネルを選択する。特定のチャンネルを指示する操作信号が入力される場合には、選局処理部１６４２は、当該操作信号が示すチャンネルを選択する。特定のチャンネルは、リモートコントローラＲＣが備えるチャンネルボタンのうち、押下されたチャンネルボタンに係るチャンネルに相当する。電子番組表が表示部１４に表示されている場合には、選局処理部１６４２は、番組毎の表示枠のうち、操作信号が指示する表示枠に係る番組を放送するチャンネルを選択してもよい。選局処理部１６４２は、選択したチャンネルを示す選局信号を放送受信部１１に出力する。よって、選局処理部１６４２は、放送受信部１１に選択したチャンネルで放送信号を受信させることができる。
【００４１】
映像処理部１６４３は、分離部１６２から入力された映像データを所定の映像復号方式を用いて復号する。映像処理部１６４３が用いる映像復号方式は、送信装置２０が送信する映像データの符号化に用いられた映像符号化方式に対応する映像復号方式である。復号により番組の映像を表す映像信号が生成される。映像処理部１６４３は、生成した映像信号を表示部１４に出力する。なお、番組表生成部１６４１から電子番組表の表示を指示する映像信号が入力される場合には、映像処理部１６４３は、復号により生成された番組の映像に電子番組表を重畳して表示用の映像を示す映像信号を生成してもよい。
【００４２】
解像度判定部１６５は、分離部１６２から入力された番組構成情報ｉ３に含まれるＭＰＴに基づいて、受信中の放送信号から検出された映像データの解像度を判定する。より具体的には、解像度判定部１６５は、ＭＰＴを解析してアセットタイプが映像であるアセットを判定する。そして、解像度判定部１６５は、判定したアセットの映像コンポーネント記述子に記述された映像解像度が、表示部１４が映像を表示できる表示可能解像度であるか否かを判定する。解像度判定部１６５は、映像コンポーネント記述子に記述された映像解像度が、表示部１４の映像解像度と等しいか、表示部１４の映像解像度よりも低い場合、表示部１４が映像を表示できる表示可能解像度であると判定する。解像度判定部１６５は、映像コンポーネント記述子に記述された映像解像度が、表示部１４の映像解像度よりも高い場合、表示部１４が映像を表示できない表示不能解像度であると判定する。解像度判定部１６５は、表示部１４が映像を表示できない表示不能解像度であるか否かを示す表示可否フラグを動作制御部１６６に出力する。
【００４３】
動作制御部１６６は、解像度判定部１６５から入力された表示可否フラグに基づいて制御部１６の各構成要素の動作を制御する。例えば、表示可否フラグが示す解像度が表示可能解像度である場合、動作制御部１６６は、表示処理部１６４の映像処理部１６４３に映像データを復号させる。その場合には、表示部１４は映像処理部１６４３から入力された映像信号に基づく映像を表示する（通常表示）。表示可否フラグが示す解像度が表示不能解像度である場合、動作制御部１６６は、表示部１４の表示状態が所定の表示状態となるように表示処理部１６４の動作を制御する。例えば、動作制御部１６６は、映像処理部１６４３に映像データの復号を停止させる。映像データの復号が停止している場合には、表示部１４には映像データが入力されないので、表示部１４は黒画面を表す。黒画面は、表示領域内の各画素の輝度が最も低い状態である。なお、黒画面に所定のコーション映像が表示されてもよい。
【００４４】
（表示例）
次に、本実施形態に係る表示部１４の表示例について説明する。
図９は、本実施形態に係る電子番組表の一例を示す図である。電子番組表は、各列にチャンネル毎の番組情報が配列して構成される。各チャンネルについて、番組毎の表示枠が開始時刻の早い順に上から下に配置される。図９に示す例では、Ｃｈ１〜Ｃｈ３のうち、Ｃｈ１は映像の解像度が４Ｋである４Ｋ番組と、映像の解像度が８Ｋである８Ｋ番組を提供するチャンネルである。９時から１１時の間、８Ｋ番組として番組名が「８Ｋスポーツ」である番組が提供されることが表されている。矢印は、その時点において放送中である番組を示す。この矢印は、表示部１４において必ずしも表示されなくてもよい。なお、その他の番組の番組情報については、図示が省略されている。
【００４５】
表示部１４の解像度が８Ｋであり、その時間帯にＣｈ１が選局される場合には、解像度判定部１６５は、受信中の放送信号から検出された映像データの解像度である８Ｋが表示可能解像度であると判定する。動作制御部１６６は、映像処理部１６４３に映像データを復号させる。表示部１４には、復号により得られた映像信号が入力され、入力された映像信号に基づく映像として番組名が「８Ｋスポーツ」である番組の映像を表示する（図１０）。
【００４６】
表示部１４の解像度が４Ｋであり、その時間帯にＣｈ１が選局される場合には、解像度判定部１６５は、受信中の放送信号から検出された映像データの解像度である８Ｋが表示不能解像度であると判定する。動作制御部１６６は、映像処理部１６４３に映像データの復号を停止させ、映像処理部１６４３に所定のコーション映像信号を取得させる。表示部１４には、取得されたコーション映像信号が入力され、入力されたコーション映像信号に基づくコーション映像として「この放送は表示できません」との文字を含む映像を表示する（図１１）。視聴者は、選択された番組が表示されない事由が、受信装置１０の故障ではなく、放送が要因であることを知得することができる。
【００４７】
なお、番組表生成部１６４１は、映像の解像度が表示不能解像度である番組に係る番組情報を、映像の解像度が表示可能解像度である番組に係る番組情報よりも目立たない態様で表す電子番組表を生成する。番組表生成部１６４１は、目立たない態様として、例えば、背景とのコントラストがより低い文字を用いて「８Ｋスポーツ」の文字を表してもよい（例えば、グレイアウト）。また、選局処理部１６４２は、操作入力部１２から入力される操作信号が指示する表示枠に係る番組について、その番組が放送されるチャンネルの選局を停止してもよい。
【００４８】
また、受信中の放送信号から検出された映像データの解像度である８Ｋが表示不能解像度であると判定する場合には、映像処理部１６４３に対して、コーション映像に所定の映像を重畳して表示用映像を示す映像信号を生成させてもよい。その場合には、表示部１４には、映像処理部１６４３から入力された映像信号に基づく映像として、コーション映像に所定の映像が重畳された映像が表示される。重畳される所定の映像として、表示部１４が表示可能な解像度を有する映像であれば利用可能である。例えば、予め記憶部１５に記憶しておいた映像信号、放送信号から検出された映像データから復号により得られた映像信号が示す映像の解像度を８Ｋから４Ｋに低下させて得られた映像信号などが利用可能である。そこで、受信装置１０は、映像の解像度を低下するための変換器（コンバータ）を備えてもよい。また、映像処理部１６４３は、解像度を低下した映像に、その解像度を示す表示（例えば、４Ｋの文字）を重畳してもよい。
【００４９】
（受信処理）
次に、本実施形態に係る放送信号の受信処理について説明する。図１２は、本実施形態に係る受信処理を示すフローチャートである。
（ステップＳ１０１）放送受信部１１は、放送伝送路ＢＴで伝送された放送信号を受信する。復調部１６１は、受信した放送信号についてフロントエンド処理を行って多重化データに変換する。その後、ステップＳ１０２に進む。
（ステップＳ１０２）解像度判定部１６５は、多重化データから分離された番組構成情報ｉ３のＭＰＴを参照して、映像のアセットについて設定された映像コンポーネント記述子に記述された映像解像度を判定する。判定される映像解像度は、放送信号により搬送された映像の解像度に相当する。その後、ステップＳ１０３に進む。
（ステップＳ１０３）解像度判定部１６５は、判定した映像解像度が、表示部１４が映像を表示できる表示可能解像度であるか否かを判定する。映像解像度が、表示可能解像度であると判定されるとき（ステップＳ１０３  ＹＥＳ）、ステップＳ１０５に進む。映像解像度が、表示不能解像度であると判定されるとき（ステップＳ１０３  ＮＯ）、ステップＳ１０４に進む。
【００５０】
（ステップＳ１０４）動作制御部１６６は、表示部１４の表示状態を所定の表示状態としてコーション映像を表示する状態に制御する。ここで、動作制御部１６６は、映像処理部１６４３に映像データの復号を停止させ、コーション映像信号を取得し、取得したコーション映像信号を表示部１４に出力させる。その後、ステップＳ１０１に戻る。よって、放送信号が搬送する映像の解像度が、新たに表示可能解像度となるまでステップＳ１０１〜１０４の処理が繰り返される。
【００５１】
（ステップＳ１０５）動作制御部１６６は、表示処理部１６４の映像処理部１６４３に映像データを復号させる。表示部１４は映像処理部１６４３から入力された映像信号に基づく映像を表示する（通常表示）。その後、ステップＳ１０１に戻る。
【００５２】
なお、解像度判定部１６５は、ステップＳ１０２においてＭＰＴに代えて、ＭＨ−ＥＩＴのうち現在受信中の番組に係る記述子領域に記述された映像コンポーネント記述子の映像信号解像度に基づいて映像の解像度を判定してもよい。例えば、放送信号を受信するチャンネル切り換え直後等、番組データに係るＭＰＴがまだ取得されていないときに、既に取得したＭＨ−ＥＩＴを用いることによって処理の遅延を低減することができる。
【００５３】
また、動作制御部１６６は、ＭＨ−ＥＩＴを参照して、選択されているチャンネルについて、現時点よりも所定時間（例えば、３分後）に提供される番組の映像の解像度が表示可能解像度であるか否かを判定してもよい。表示可能解像度であるか否かの判定が、現時点における判定から変化する場合には、動作制御部１６６は、その変化を案内するメッセージを含む案内映像を表示部１４に表示させてもよい。現時点において提供される番組の映像の解像度が表示可能解像度である場合には、例えば、案内映像に「このチャンネルは、あと●分で表示できなくなります。」との映像の表示が停止されることの予告メッセージが含まれる。また、現時点において提供される番組の映像の解像度が表示不能解像度である場合には、例えば「このチャンネルは、あと●分で表示されます。」との映像の表示が再開されることの予告メッセージが含まれる。視聴者は表示状態の変更予定に接することで、より安心して当該チャンネルを選択することができる。
【００５４】
以上に説明したように、本実施形態に係る受信装置１０は、映像を含む番組の放送信号を受信する放送受信部１１を備える。また、受信装置１０は、映像の解像度が、その映像を表示部が表示できない表示不能解像度である場合、表示部１４の表示状態を所定の表示状態に制御し、映像の解像度が、その映像を表示部１４が表示できる表示可能解像度である場合、表示部１４にその映像を表示させる表示処理部１６４を備える。
この構成により、所定の表示状態として、例えば、コーション映像を視認した視聴者は表示部１４が表示できない表示不能解像度を有する映像が提供されることを知得することができる。また、視聴者が受信装置１０への操作を行わずに放置しても、表示部１４が表示できる表示可能解像度を有する映像が再度提供されると、表示部１４はその映像を表示する。映像の表示が再開されることは視聴者の期待に沿うので、過度なチャンネルの切り替えが回避される。そのため、単に表示部１４の表示状態を所定の表示状態に制御する場合よりも、視聴者と放送事業者の双方がより満足することができる。
【００５５】
（第２の実施形態）
次に、本発明の第２の実施形態について説明する。上述した実施形態と同一の構成については、同一の符号を付してその説明を援用する。
本実施形態に係る放送システム１の受信装置１０において、動作制御部１６６には解像度が表示不能解像度であることを示す表示可否フラグが解像度判定部１６５から入力される場合がある。その場合には、動作制御部１６６は、所定の消費電力よりも消費電力が低い省エネモードで表示処理部１６４を動作させる。省エネモードは、所定の消費電力として、視聴モードで動作させる場合における消費電力よりも低い動作モード（消費電力低減モード）である。省エネモードにおいて、例えば、動作制御部１６６は、映像処理部１６４３に映像データの復号を停止させる。また、省エネモードでは、動作制御部１６６は、表示部１４の映像光を発する発光部（例えば、バックライト）に発光を停止させてもよい。このとき、表示部１４は、映像を表示しない（画面表示ＯＦＦ）。但し、省エネモードでは、動作制御部１６６は操作入力部１２からの操作入力を待ち受ける。視聴モードとは、放送信号で搬送される映像を表示部１４に表示させる動作モードである。
【００５６】
動作制御部１６６は、動作モードを視聴モードから省エネモードに変化するとき、表示部１４に所定の時間（例えば、１分間）終了予約画面を表示させてもよい。終了予約画面は、省エネモードを終了し、動作モードを視聴モードに変更（復帰）する時刻（終了時刻）の指示（予約）を示す画面である。このとき、映像処理部１６４３は、予め記憶された終了予約画面信号を記憶部１５から読み出し、読み出した終了予約画面信号を表示部１４に出力する。また、終了予約画面の表示を開始するタイミングは、映像の解像度が表示不能解像度である番組の開始時刻から所定時間（例えば、１分）早い時刻であってもよい。視聴者は、省エネモードの開始前に所望の終了時刻を指示することができる。
【００５７】
表示部１４が、終了予約画面信号に基づく終了予約画面を表示しているとき、動作制御部１６６は操作入力部１２から入力された操作信号が指示する時刻を終了時刻として定める。また、表示部１４が電子番組表と終了予約画面を表示しているとき、動作制御部１６６は、操作信号が指示する表示枠に番組情報が表される番組であって、その番組の映像の解像度が表示可能解像度である場合、その番組の開始時刻を終了時刻と定めてもよい。動作制御部１６６は、終了予約画面の表示開始後、所定時間内に終了時刻を定めた場合、動作モードを視聴モードから省エネモードに変更し、それ以外の場合、動作モードを視聴モードに維持してもよい。動作制御部１６６は、その時点の時刻（現時刻）が定めた終了時刻に達するとき、動作モードを省エネモードから視聴モードに変更する。このとき、動作制御部１６６は、映像処理部１６４３における映像データの復号を再開する。また、動作制御部１６６は、表示部１４の発光部に発光を停止させていた場合には、発光を再開させる。
【００５８】
なお、動作制御部１６６は、終了時刻として、映像の解像度が表示不能解像度である番組の終了時刻よりも早い時刻が操作信号で指示される場合には、その指示を無視し、終了時刻を定めなくてもよい。
また、受信装置１０が映像の解像度を低下させるための変換器を備える場合、動作制御部１６６は、指示される時刻を終了時刻として定めてもよい。その場合、動作制御部１６６は、定めた終了時刻から番組の終了までの間、映像処理部１６４３が生成した映像信号が示す映像の解像度を変換部に変換させ、変換した映像を示す映像信号を表示部１４にさせてもよい。
【００５９】
動作モードが省エネモードであり、操作入力部１２から入力される操作信号が省エネモードの終了、もしくは、省エネモードの終了予約の解除を示すとき、動作モードを視聴モードに変更する。制御部１６は、さらに入力された操作信号で指示される処理、例えば、選局処理部１６４２における選局処理を行う。但し、その時点において、映像コンポーネント記述子に記述された映像解像度、つまり、放送信号が搬送する映像の解像度が、まだ表示不能解像度である場合がある。その場合には、動作制御部１６６は、表示処理部１６４に対して、表示部１４の表示状態を所定の表示状態に制御してもよい。動作制御部１６６は、所定の表示状態として、第１の実施形態と同様に電子番組表、表示部１４にコーション映像、解像度を低下した番組の映像のいずれか又はその組み合わせを表示させてもよい。
また、新たに選択されたチャンネルで受信される放送信号、又は新たな番組の開始後に受信される放送信号で搬送される映像の解像度が、表示可能解像度である場合には、動作制御部１６６は、省エネモードを終了し、動作モードを視聴モードに変更する。
【００６０】
（表示例）
次に、本実施形態に係る表示部１４の表示例について説明する。
図１３は、本実施形態に係る電子番組表の一例を示す図である。図１３に示す例では、Ｃｈ１において９時から１１時までの間、番組名が「８Ｋスポーツ」である８Ｋ番組が提供され、１１時から１３時までの間、番組名が「Ｈｅｌｌｏ  ＴＶ」である４Ｋ番組が提供されることが表されている。その他の番組の番組情報については、図示が省略されている。
【００６１】
表示部１４の解像度が８Ｋであり、９時から１１時までの時間帯、１１時から１３時までの時間帯ともにＣｈ１が選局される場合には、解像度判定部１６５は、受信中の放送信号から検出された映像データの解像度がいずれも表示可能解像度であると判定する。動作制御部１６６は、動作モードを視聴モードのまま維持し、映像処理部１６４３に映像データを復号させる。表示部１４は、映像処理部１６４３から入力された映像信号に基づく映像として、９時から１１時までの時間帯において番組名が「８Ｋスポーツ」である番組の映像を表示する（図１４（ａ））。表示部１４は、１１時から１３時までの時間帯において番組名が「Ｈｅｌｌｏ  ＴＶ」である番組の映像を表示する（図１４（ｂ））。
【００６２】
表示部１４の解像度が４Ｋであり、９時から１１時までの時間帯にＣｈ１が選局される場合には、解像度判定部１６５は、受信中の放送信号から検出された映像データの解像度が表示不能解像度であると判定する。動作制御部１６６は、動作モードを視聴モードから省エネモードに変更する。動作制御部１６６は、映像処理部１６４３に映像データの復号を停止させることにより、表示部１４による映像の表示を停止する（図１５（ａ））。現時刻が終了時刻（１１時から１３時までの任意の時刻）又は新たな４Ｋ番組である「Ｈｅｌｌｏ  ＴＶ」の開始時刻である１１時に達したとき、動作制御部１６６は、受信中の放送信号から検出された映像データの解像度が表示可能解像度であると判定する。動作制御部１６６は、動作モードを省エネモードから視聴モードに変更し、映像処理部１６４３に映像データを復号させる。表示部１４は、番組名が「Ｈｅｌｌｏ  ＴＶ」である番組の映像の表示を開始する（図１５（ｂ））。
【００６３】
（受信処理）
次に、本実施形態に係る放送信号の受信処理について説明する。図１６は、本実施形態に係る受信処理を示すフローチャートである。図１６に示す処理は、ステップＳ１０１〜Ｓ１０３、Ｓ１０５、及びＳ１１１〜Ｓ１１６の処理を有する。但し、図１６の処理の開始当初において、動作モードが視聴モードである場合を例にする。本実施形態では、ステップＳ１０３において解像度判定部１６５は、映像コンポーネント記述子に記述された映像解像度であると判定するとき（ステップＳ１０３  ＮＯ）、ステップＳ１１１に進む。
【００６４】
（ステップＳ１１１）動作制御部１６６は、表示部１４に所定の時間、省エネモードの終了時刻の指定の案内を示す終了予約画面を表示させる。動作制御部１６６は、操作入力部１２から入力された操作信号に基づいて終了時刻を定める。その後、ステップＳ１１２に変更する。
（ステップＳ１１２）動作制御部１６６は、動作モードを視聴モードから省エネモードに変更（遷移）し、映像処理部１６４３に映像データの復号を停止させる。その後、ステップＳ１１３に進む。
【００６５】
（ステップＳ１１３）動作制御部１６６は、現時刻が終了時刻に達したか否かを判定する。達したと判定されたとき（ステップＳ１１３  ＹＥＳ）、ステップＳ１１６に進む。達していないと判定されたとき（ステップＳ１１３  ＮＯ）、ステップＳ１１４に進む。
（ステップＳ１１４）動作制御部１６６は、操作入力部１２から操作信号が入力されたか否かを判定する。入力されたと判定されたとき（ステップＳ１１４  ＹＥＳ）、ステップＳ１１５に進む。入力されていないと判定されたとき（ステップＳ１１４  ＮＯ）、ステップＳ１１２に戻る（待ち受け）。
（ステップＳ１１５）動作制御部１６６は、入力された操作信号が省エネモードの終了、もしくは、省エネモードの終了予約の解除を示すか否かを判定する。示すと判定されたとき（ステップＳ１１５  ＹＥＳ）、ステップＳ１１６に進む。示さないと判定されたとき（ステップＳ１１５  ＮＯ）、ステップＳ１１２に戻る（待ち受け）。
【００６６】
（ステップＳ１１６）動作制御部１６６は、省エネモードを終了し、動作モードを視聴モードに変更（復帰）する。その後、ステップＳ１０１に戻る。
【００６７】
なお、図１６に示す処理において、ステップＳ１１４において操作信号が入力されたと判定されたとき（ステップＳ１１４  ＹＥＳ）、ステップＳ１１５を省略し、ステップＳ１１６に進むようにしてもよい。その場合、操作信号の指示に関わらず、操作入力がなされたとき省エネモードが終了し、動作モードが視聴モードに変更される。
【００６８】
以上に説明したように、本実施形態に係る受信装置１０は、映像の解像度が表示不能解像度である場合、所定の消費電力よりも消費電力が低い省エネモードで表示処理部１６４を動作させ、操作入力に応じて省エネモードを終了する終了時刻を定める動作制御部１６６を備える。
この構成により、視聴者の操作に応じて定めた終了時刻において、省エネモードを終了させ、視聴モードを再開させることができる。視聴者が所望の時刻において映像の表示が再開するので、視聴者は放送サービスに対してより満足することができる。
【００６９】
（第３の実施形態）
次に、本発明の第３の実施形態について説明する。上述した実施形態と同一の構成については、同一の符号を付してその説明を援用する。
本実施形態に係る放送システム１において、送信装置２０は、ある番組に対応する他のコンテンツに関するリンク情報をさらに含む番組配列情報ｉ２を取得する。他のコンテンツは、受信装置１０の種別に関わらず表示可能な映像（例えば、４Ｋ映像）を含むコンテンツである。他のコンテンツの提供形態として、例えば、他のチャンネルで放送される放送番組、通信で提供可能なコンテンツが含まれる。リンク情報には、他のコンテンツの送信元の所在を示す送信元情報が含まれる。リンク情報として、例えば、ハイパーリンク記述子を用いて表される。ハイパーリンク記述子の例については、後述する。
【００７０】
次に、本実施形態に係る送信処理について説明する。図１７は、本実施形態に係る送信処理を示すフローチャートである。
（ステップＳ２０１）送信装置２０は、番組の映像を示す映像データを含む番組データｉ１を取得する。その後、ステップＳ２０２に進む。
（ステップＳ２０２）送信装置２０は、番組データｉ１の構成を示す番組構成情報ｉ３と、番組毎の番組データに関する番組情報ならびにある番組に対応する他のコンテンツに関するリンク情報とを含む番組配列情報ｉ２とを取得する。その後、ステップＳ２０３に進む。
（ステップＳ２０３）送信装置２０は、番組データｉ１と、番組配列情報ｉ２と番組構成情報ｉ３とを含む制御データとを多重化して多重化データを生成する。その後、ステップＳ２０４に進む。
（ステップＳ２０４）送信装置２０は、生成した多重化データについて上述したフロントエンド処理を行って放送信号に変換する。送信装置２０は、変換した放送信号を放送伝送路ＢＴに送出することにより、受信装置１０に送信する。その後、図１７に示す処理を終了する。
【００７１】
（ハイパーリンク記述子）
次に、本実施形態に係るハイパーリンク記述子のデータ構造について説明する。図１８は、ハイパーリンク記述子のデータ構造の一例を示す図である。
ハイパーリンク記述子は、ＭＨ−ＥＩＴ（図５）のイベント（番組）毎の記述子領域（ｄｅｓｃｒｉｐｔｏｒ（））に記述される。ハイパーリンク記述子には、ハイパーリンク種別（ｈｙｐｅｒ＿ｌｉｎｋａｇｅ＿ｔｙｐｅ）、リンク先種別（ｌｉｎｋ＿ｄｅｓｔｉｎａｔｉｏｎ＿ｔｙｐｅ）、プライベートデータ（ｐｒｉｖａｔｅ＿ｄａｔａ）及び優先種別（ｐｒｉｏｒｉｔｙ＿ｔｙｐｅ）の各項目が含まれる。
【００７２】
ハイパーリンク種別（ｈｙｐｅｒ＿ｌｉｎｋａｇｅ＿ｔｙｐｅ）には、リンクの形態を示す符号が記述される。リンクの形態は、例えば、テレビジョン番組、データ放送などである。リンク先種別（ｌｉｎｋ＿ｄｅｓｔｉｎａｔｉｏｎ＿ｔｙｐｅ）には、リンク先のデータの種別を示す符号が記述される。リンク先のデータの種別は、例えば、サービス、イベント、コンテント（コンテンツ）などである。リンク先が放送番組の番組データを提供する場合には、イベントが指定される。プライベートデータ（ｐｒｉｖａｔｅ＿ｄａｔａ）には個別に定義された値が記述される。個別に定義された値として、例えば、コンテンツの名称（番組名など）が記述されてもよい。優先種別（ｐｒｉｏｒｉｔｙ＿ｔｙｐｅ）には、提供に係る伝送路が２種類以上ある場合において、優先して利用する伝送路の種別を示す符号が記述される。例えば、「０ｘ０１」は、ネットワーク（通信伝送路）、「０ｘ０２」は、放送（放送伝送路）を示す。
【００７３】
ハイパーリンク記述子には、さらにリンク先の所在を示す情報として、ＵＲＬ（ＵＲＬ＿ｂｙｔｅ）、オリジナルネットワーク識別（ｏｒｉｇｉｎａｌ＿ｎｅｔｗｏｒｋ＿ｉｄ）、トランスポートストリーム識別（ｔｒａｎｓｐｏｒｔ＿ｓｔｒｅａｍ＿ｉｄ）、サービス識別（ｓｅｒｖｉｃｅ＿ｉｄ）、イベント識別（ｅｖｅｎｔ＿ｉｄ）、開始時刻（ｓｔａｒｔ＿ｔｉｍｅ）及び継続時間（ｄｕｒａｔｉｏｎ）が含まれる。伝送路としてネットワークで提供されるコンテンツについて、ＵＲＬ（ＵＲＬ＿ｂｙｔｅ）により送信元が特定される。放送で提供される番組について、オリジナルネットワーク識別（ｏｒｉｇｉｎａｌ＿ｎｅｔｗｏｒｋ＿ｉｄ）により提供されるチャンネルが特定される。トランスポートストリーム識別（ｔｒａｎｓｐｏｒｔ＿ｓｔｒｅａｍ＿ｉｄ）により、番組データが提供されるアセットが特定される。サービス識別（ｓｅｒｖｉｃｅ＿ｉｄ）、イベント識別（ｅｖｅｎｔ＿ｉｄ）により提供対象の番組が特定される。開始時刻（ｓｔａｒｔ＿ｔｉｍｅ）及び継続時間（ｄｕｒａｔｉｏｎ）により、その放送時間が特定される。
【００７４】
（受信装置）
次に、本実施形態に係る受信装置１０の構成について説明する。
図１９は、本実施形態に係る受信装置１０の概略構成を示すブロック図である。
受信装置１０は、図８に示す受信装置１０について、さらに通信部１７と、データ入出力部１８とを含んで構成される。
【００７５】
通信部１７は、通信伝送路ＮＴと有線又は無線で接続され、通信伝送路ＮＴに接続された他の機器との間で各種の信号を送受信する。通信伝送路ＮＴには、ある番組に関連するコンテンツを提供するサーバ装置が接続される。通信伝送路ＮＴは、例えば、インターネット等の広域通信網を含んで構成される。通信部１７は、例えば、通信インタフェースである。
【００７６】
データ入出力部１８は、表示装置３０と有線又は無線で接続され、表示処理部１６４から入力された各種の映像信号を表示装置３０に出力する。また、データ入出力部１８は、表示装置３０から入力された各種の信号を制御部１６に出力する。データ入出力部１８は、例えば、データ入出力インタフェースである。表示装置３０は、入力された映像信号に基づいて映像を表示する表示部を備える電子機器である。表示装置３０は、表示部１４に表示される番組の映像に付随する他の映像又は当該番組に関連する情報を表示する電子機器（セカンドスクリーン）である。表示装置３０は、例えば、多機能携帯電話機（いわゆるスマートフォンを含む）、タブレット端末装置、等である。
【００７７】
番組表生成部１６４１は、映像コンポーネント記述子に記述された映像解像度が、表示不能解像度である番組について、リンク情報としてハイパーリンク記述子が、ＭＨ−ＥＩＴの記述子領域（ｄｅｓｃｒｉｐｔｏｒｓ（））に含まれているか否かを判定する。番組表生成部１６４１は、ハイパーリンク記述子を解析し、当該番組に対応する他のコンテンツの名称と、リンク先として、チャンネル又はＵＲＬを取得する。番組表生成部１６４１は、当該番組の表示枠に取得した他のコンテンツのリンク先とその名称を表すタグをさらに含む電子番組表を生成する。タグ内の表示は、当該番組よりも目立つ態様、例えば、より高いコントラストで表示されてもよい。また、１つの番組に係るリンク情報が示すリンク先が複数あり、それらに優先順位が定められている場合には、番組表生成部１６４１は、その順位でリンク先と番組名のセットをそれぞれ配列してもよい。
【００７８】
なお、番組表生成部１６４１は、ハイパーリンク記述子に記述された他のコンテンツが利用できるか否かを判定してもよい。番組表生成部１６４１は、利用できると判定された他のコンテンツについて、リンク先と名称のセットを電子番組表に配列し、利用できないと判定された他のコンテンツについて当該セットを配列しない。他のコンテンツが放送番組である場合、番組表生成部１６４１は、現時刻が放送時間内であって、特段の契約なしに利用できるチャンネルもしくは提供者と契約済みのチャンネルで提供される番組が利用できると判定し、それ以外の番組は利用できないと判定する。特段の契約なしに利用できるチャンネルには、例えば、普及促進用のチャンネル（プロモチャンネル）、通信販売専用チャンネル（ショップチャンネル）がある。契約済みのチャンネルか否かについては、例えば、契約情報として、提供者が発行した復号鍵と当該受信装置１０を特定するユーザーＩＤのセットが記憶部１５に記憶されているか否かをもって判定できる。また、他のコンテンツがネットワークで提供されるコンテンツである場合、番組表生成部１６４１は、通信部１７が通信伝送路ＮＴに接続されているとき他のコンテンツが利用できると判定し、通信部１７が通信伝送路ＮＴに接続されていないとき他のコンテンツが利用できないと判定する。
【００７９】
動作制御部１６６は、受信中の放送信号で搬送される映像の解像度が受信不能解像度であって、利用できる他のコンテンツに係るリンク情報が存在する場合には、当該他のコンテンツを搬送する信号を放送受信部１１又は通信部１７に受信させる。動作制御部１６６は、当該リンク情報を参照して、他のコンテンツのリンク先を判定する。他のコンテンツが放送番組である場合には、動作制御部１６６は、判定したリンク先として提供されるチャンネルを判定する。動作制御部１６６は、判定したチャンネルを示す選局信号を生成し、生成した選局信号を放送受信部１１に出力する。放送受信部１１は、そのチャンネルで放送信号を受信する。また、動作制御部１６６は、他のコンテンツがネットワークで提供されるコンテンツ（ネットワークコンテンツ）である場合には、当該コンテンツの要求信号を生成し、生成した要求信号を、通信部１７を介してリンク先のサーバ装置に送信する。通信部１７は、送信した要求信号の応答としてサーバ装置から当該コンテンツを含むコンテンツデータを受信する。通信部１７は、受信したコンテンツデータを分離部１６２に出力する。分離部１６２は、通信部１７から入力されるコンテンツデータから映像データを分離し、分離した映像データを映像処理部１６４３に出力する。よって、リンク先の放送番組の映像が表示部１４に表示される。
【００８０】
（表示例）
次に、本実施形態に係る表示部１４の表示例について説明する。
図２０は、本実施形態に係る電子番組表の一例を示す図である。図２０（ａ）は、表示部１４の解像度が４Ｋである場合に表示される電子番組表の一例である。Ｃｈ１において９時から１１時までの間、番組名が「８Ｋスポーツ」である８Ｋ番組の表示枠内に、タグＬｋ１が重畳される。その他の番組の番組情報については、図示が省略されている。タグＬｋ１は太枠で囲まれ、タグＬｋ１内の背景の明度又は輝度は、表示枠内の背景よりも高い。タグＬｋ１は、この番組に関連するコンテンツとして、その時点において利用可能な他のコンテンツが存在することを示す。上述したように、解像度が４Ｋである表示部１４は、この番組の映像を表示できない。
【００８１】
図２０（ｂ）は、タグＬｋ１にリンク情報として、リンク先のチャンネルとして「Ｃｈ  ３３」とコンテンツの名称として「ハロージャパン」が表示される。本実施形態では、動作制御部１６６は、放送受信部１１が放送信号を受信するチャンネルとしてＣｈ３３を指示する。そのため、Ｃｈ３３で受信された放送信号で搬送される映像データに基づく映像として、表示部１４は、番組名が「ハロージャパン」である番組の映像を表示することができる（図２１（ｃ））。
【００８２】
リンク情報が存在しない８Ｋ番組については、動作制御部１６６は、映像処理部１６４３に対して映像データの復号を停止し、コーション映像信号を表示部１４に出力する。その場合に、表示部１４は、コーション映像を表示する（図２１（ｂ））。
なお、表示部１４の解像度が８Ｋである場合には、電子番組表にはタグＬｋ１は必ずしも表示されなくてもよい。Ｃｈ１が選局される場合には、９時から１１時までの時間帯において番組名が「８Ｋスポーツ」である番組の映像が可能なためである（図２１（ａ））。
【００８３】
図２２（ａ）は、表示部１４の解像度が４Ｋである場合に表示される電子番組表の他の例を示す。この例では、Ｃｈ１、Ｃｈ２、Ｃｈ３のそれぞれについて、７時から１３時までに放送される全ての番組の番組情報が表される。但し、映像を表示できない８Ｋ番組の表示枠内の背景は、映像を表示できる他の番組（４Ｋ番組）よりも低い輝度で表されている。この例では、８Ｋ番組は、「８Ｋスポーツ」、「モーニングニュース」、「８Ｋ音楽」が該当する。そのうち、「８Ｋ音楽」については、リンク情報が存在する。そのため、この番組の表示枠には、リンク情報の一部であるリンク先のチャンネルとして「Ｃｈ３３」とコンテンツの名称として「ハロージャパン」を表すタグＬｋ２が付加される（図２２（ｂ））。なお、「８Ｋスポーツ」、「モーニングニュース」については、リンク情報が存在しないため、タグが表示されない。
【００８４】
図２２（ａ）に示す番組編成のもとで、受信装置１０がＣｈ３で７時から１３時までの間、放送信号を受信することを仮定する。７時から９時までの間、放送受信部１１はＣｈ３で番組名が「今日の天気」である番組の放送信号を受信する。次の番組の開始時刻である９時において、動作制御部１６６は、受信チャンネルをＣｈ３からリンク先のＣｈ３３に変更する。９時から１１時までの間、放送受信部１１はＣｈ３３で番組名が「ハロージャパン」である番組の放送信号を受信する。当該番組の終了時刻である１１時において、受信チャンネルをリンク先のＣｈ３３から変更前のＣｈ３に戻す。１１時から１３時までの間、放送受信部１１はＣｈ３で番組名が「午後の天気」である番組の放送信号を受信する。
【００８５】
なお、同一時間帯において、リンク情報が存在する番組を提供するチャンネルは、複数チャンネル存在しうる。番組表生成部１６４１は、その複数のチャンネルのうち、放送受信部１１が放送信号を受信するチャンネルに係るタグＬｋ３を表示させ、その他のタグを表示させなくてもよい。これにより、視聴者は現在受信しているチャンネルで提供される番組に対応する他のコンテンツの視聴が促され、その他の番組に対応する他のコンテンツの視聴は促されない。
【００８６】
図２３（ａ）は、表示部１４の解像度が８Ｋである場合に表示される電子番組表の一例を示す。この例における番組編成は、図２２（ａ）に示す番組編成と同様である。表示部１４は、全ての番組の映像を表示することができるため、番組間において表示態様の差異は特に設けられていない。また、図２３（ａ）に示す例では、リンク情報が存在する番組「８Ｋ音楽」については、タグＬｋ２は付加されない。これは、放送事業者は、他のコンテンツよりも解像度が高い映像に係る８Ｋ番組を視聴者に視聴させるためである。
【００８７】
但し、データ入出力部１８に表示装置３０が接続されている場合には、番組表生成部１６４１は、生成したタグＬｋ３を示す映像信号を表示部１４に出力せずに、データ入出力部１８を介して表示装置３０に出力してもよい。図２３（ｂ）に示す例では、表示装置３０の表示部３５にタグＬｋ３が表示される。
また、視聴者の操作によりタグＬｋ３を指示する操作信号が入力されることがある。その場合、表示装置３０は、リンク先としてタグＬｋ３にリンク先として表示されたＣｈ３３で放送される他のコンテンツである番組「ハロージャパン」の要求信号を受信装置１０の動作制御部１６６に送信してもよい。動作制御部１６６は、表示装置３０からの要求信号の入力に応じて、Ｃｈ３で受信中の番組「８Ｋ音楽」に対応する番組「ハロージャパン」を搬送する放送信号を、上述した手法を用いて放送受信部１１に受信させる。映像処理部１６４３は、Ｃｈ３３で受信した放送信号から取得される番組「ハロージャパン」に係る映像データを復号して得られる映像信号を、データ入出力部１８を介して表示装置３０に出力する。よって、表示装置３０は、他のコンテンツに係る映像として、番組名が「ハロージャパン」である番組の映像を表示する（セカンドスクリーン対応）。
【００８８】
また、受信装置１０が放送された映像データを記録する録画部（図示せず）を備える場合には、録画部は、操作入力部１２から入力される操作信号の指示に応じて、映像を表示する番組に対応する他のコンテンツに係る映像データを記録してもよい。図２３（ａ）に示す例において、表示部１４が番組「８Ｋ音楽」の映像を表示しているとき、録画部は番組「ハロージャパン」の映像を示す映像データを記録してもよい（録画対応）。
【００８９】
（受信処理）
次に、本実施形態に係る放送信号の受信処理について説明する。図２４は、本実施形態に係る受信処理を示すフローチャートである。図２４に示す処理は、ステップＳ１０１〜Ｓ１０５、及びＳ１２１〜Ｓ１２４の処理を有する。本実施形態では、ステップＳ１０３において解像度判定部１６５は、映像コンポーネント記述子に記述された映像解像度であると判定するとき（ステップＳ１０３  ＮＯ）、ステップＳ１２１に進む。
【００９０】
（ステップＳ１２１）番組表生成部１６４１は、番組配列情報ｉ２を示すＭＨ−ＥＩＴを解析し、映像の解像度が表示不能解像度である番組毎に映像コンポーネント記述子の記述子領域（ｄｅｓｃｒｉｐｔｏｒｓ（））にリンク情報を表すハイパーリンク記述子が記述されているか否かを判定する。その後、ステップＳ１２２に進む。
（ステップＳ１２２）リンク情報を表すハイパーリンク記述子が記述されていると判定された番組がある場合（ステップＳ１２２  ＹＥＳ）、ステップＳ１２３に進む。ハイパーリンク記述子が記述されていると判定された番組がない場合（ステップＳ１２２  ＮＯ）、ステップＳ１０４に進む。
【００９１】
（ステップＳ１２３）番組表生成部１６４１は、リンク情報を表すハイパーリンク記述子で記述された他のコンテンツが利用可能であるか否かを確認する。番組表生成部１６４１は、利用可能であると判定した番組について、当該番組に対応する他のコンテンツのリンク先と名称とを示すタグを、当該番組の表示枠に付加した電子番組表を生成する。番組表生成部１６４１は、生成した電子番組表を表示部１４に表示させる。その後、ステップＳ１２４に進む。
【００９２】
（ステップＳ１２４）動作制御部１６６は、その時点で受信中の番組に対応する利用可能な他のコンテンツのコンテンツデータを搬送する信号を、当該他のコンテンツのリンク先から放送受信部１１又は通信部１７に受信させる。映像処理部１６４３は、受信したコンテンツデータに含まれる映像データを復号して得られた映像信号を表示部１４に出力する。表示部１４は、映像処理部１６４３からの映像信号が示す映像として、リンク先から取得した他のコンテンツの映像を表示する。その後、ステップＳ１０１に戻る。
【００９３】
なお、ステップＳ１２２において、ハイパーリンク記述子が記述されていると判定された番組がない場合（ステップＳ１２２  ＮＯ）、ステップＳ１１１（図１６）に進み、受信装置１０はステップＳ１０４に代えてステップＳ１１１〜Ｓ１１６（図１６）の処理を行ってもよい。
また、受信中の番組に係るリンク情報が示すリンク先が複数あり、それらに優先順位が付されている場合には、動作制御部１６６は、リンク先毎にその優先順位でステップＳ１２４の処理を試行してもよい。１つのリンク先からのコンテンツデータの取得に失敗しても、他の利用可能なコンテンツデータの取得が試行されるので、表示部１４に映像が表示されない可能性を低減することができる。
【００９４】
また、上述した例では、放送される映像の解像度が表示不能解像度であると判定されるとき、操作入力部１２からの操作信号の入力の有無に関わらず、タグに表示された他のコンテンツを放送受信部１１又は通信部１７に受信させる場合を例にした。動作制御部１６６は、電子番組表に表示されるタグを指示する操作信号が入力されるとき、タグに表示される他のコンテンツのリンク先から、当該他のコンテンツのコンテンツデータを搬送する信号を放送受信部１１又は通信部１７に受信させてもよい。その場合、視聴者は、意思に応じて映像の解像度が表示不能解像度である番組に対応する他のコンテンツを視聴するか否かを選択することができる。
【００９５】
また、リンク情報としてハイパーリンク記述子に代えて、ＭＨ−リンク記述子を用いて、他のコンテンツのリンク先、名称が記述されてもよい。その場合には、番組表生成部１６４１は、ハイパーリンク記述子に代えて、ＭＨ−リンク記述子を解析して、他のコンテンツのリンク先、名称を判定する。
【００９６】
以上に説明したように、本実施形態に係る受信装置１０は、放送信号で搬送され、放送中または放送予定の番組に関する番組配列情報から受信中の番組に対応する他のコンテンツに関するリンク情報を取得し、映像の解像度が表示不能解像度である場合、放送受信部１１又は通信部１７に他のコンテンツを受信させる動作制御部１６６、をさらに備える。
この構成により、表示部１４は、解像度が表示不能解像度である番組の映像に代えて、他のコンテンツとして表示可能な映像を表示する。そのため、視聴者はチャンネルの切り替えに係る操作を行わなくても、選択されたチャンネルで提供されるべき番組に関連する他のコンテンツを視聴することができる。また、放送事業者は、その意図に沿った他のコンテンツに関する情報を番組配列情報の一部として指定することができる。よって、視聴者及び放送事業者ともに放送サービスに対してより満足することができる。
【００９７】
また、受信装置１０において、番組配列情報は、番組毎の番組情報を含み、番組毎の番組情報を当該番組の放送時間ならびにチャンネルに基づいて配列し、リンク情報の少なくとも一部を受信中の番組の番組情報を表示するための表示枠にタグとして表す電子番組表を生成する番組表生成部１６４１を備える。
この構成により、映像の解像度が表示不能解像度である番組に代えて提供される他のコンテンツの提供や、その時間帯などの情報が電子番組表に表される。視聴者は、他のコンテンツの提供、その時間帯などの情報を知得することができるので、当該他のコンテンツの提供に対してより満足することができる。
【００９８】
また、受信装置１０において、動作制御部１６６は、他のコンテンツが利用できるか否かを判定する。
この構成により、利用できない他のコンテンツに関する情報の表示が排除することができる。そのため、視聴者が利用できない他のコンテンツに関する情報に接することで、期待を裏切ることを回避することができる。
【００９９】
（第４の実施形態）
次に、本発明の第４の実施形態について説明する。上述した実施形態と同一の構成については、同一の符号を付してその説明を援用する。
本実施形態に係る放送システム１において、受信装置１０の表示部１４は、図２５に示すように、通電状態を示すＬＥＤ（Ｌｉｇｈｔ  Ｅｍｉｔｔｉｎｇ  Ｄｉｏｄｅ）ランプ１４−１と、放送される映像の解像度ごとにＬＥＤランプ１４−２を備える。通電状態として、電力が供給されている状態（電源ＯＮ）または電力の供給が停止されている状態（電源ＯＦＦ）が表される。映像の解像度が表される。ＬＥＤランプ１４−１と、解像度ごとのＬＥＤランプ１４−２は、発光態様がそれぞれ異なる発光素子を少なくとも２個備える。発光態様は、例えば、発光する光の色である。図２５に示す例では、受信装置１０に電源ＯＮの状態が、ＬＥＤランプ１４−１が緑色で点灯することにより表される。左端、中央、右端のＬＥＤランプ１４−２は、それぞれ解像度が８Ｋ、４Ｋ、２Ｋに対応するＬＥＤランプである。選局されたチャンネルにおいて、表示部１４が表示できない解像度が８Ｋの映像として番組「８Ｋ  スポーツ」の映像が提供されていることが、左端のＬＥＤランプ１４−２が赤色で点灯することにより表される。なお、２Ｋとは、水平方向１９２０画素、垂直方向１０８０画素の解像度である。解像度判定部１６５は、映像コンポーネントに記述された映像信号解像度の値が「５」（図４参照）であることをもって、提供される映像の解像度が２Ｋであることを判別することができる。
【０１００】
本実施形態では、解像度判定部１６５は、放送される映像データの解像度の情報を取得できるか否かを判定する。映像の解像度の情報を取得できない場合には、例えば、選択されているチャンネルでの受信品質が劣る場合、そのチャンネルでの受信信号が微弱な場合、そのチャンネルでの放送設備からの放送波の送信が停止されている場合、などがある。解像度判定部１６５は、映像の解像度の情報を取得できない場合には、その情報を取得できないことを示す取得不能情報を動作制御部１６６に出力する。映像の解像度の情報を取得できる場合には、解像度判定部１６５は、上述したように、取得した映像の解像度について表示部１４への表示の可否を判定する。解像度判定部１６５は、表示部１４への表示の可否を示す表示可否フラグに、その判定対象とした解像度を示す情報を付加して動作制御部１６６に出力する。
動作制御部１６６は、解像度判定部１６５から入力される表示可否フラグまたは取得不能情報、操作入力部１２から入力される操作信号および動作モードのいずれか、またはそれらの組み合わせに基づいてＬＥＤランプ１４−１、１４−２の点灯を制御する。
【０１０１】
動作制御部１６６は、起動（電源ＯＮ）を指示する操作信号が入力されるとき、自装置の各構成要素に動作に要する電力の供給を開始するとともに、ＬＥＤランプ１４−１を所定の色（例えば、緑）で点灯させる。その際、動作制御部１６６は、ＬＥＤランプ１４−１が備える緑色の発光素子に電力を供給する。動作の停止（電源ＯＦＦ）を指示する操作信号が入力されるとき、動作制御部１６６は、自装置の各構成要素への電力の供給を停止するとともに、ＬＥＤランプ１４−１が備える赤色の発光素子に電力の供給を開始し、緑色の発光素子への電力の供給を停止する。また、動作制御部１６６は、いずれの解像度に対応するＬＥＤランプ１４−２にも電力の供給を行わない。
【０１０２】
なお、動作制御部１６６は、解像度以外の原因により動作モードを視聴モードから省エネモードに切り替えるとき、いずれの解像度に係るＬＥＤランプ１４−２にも電力の供給を停止してもよい。解像度以外の原因により動作モードを省エネモードに切り替えるときには、例えば、動作モードが視聴モードであるとき操作信号が所定時間（例えば、３〜１０分）以上継続して入力されないときなどがある。
【０１０３】
さらに、解像度判定部１６５から取得不能情報が入力されるときにも、動作制御部１６６は、動作モードを視聴モードから省エネモードに切り替えることがある。その場合には、動作制御部１６６は、全ての解像度のそれぞれに対応するＬＥＤランプ１４−２を赤色で点灯させてもよい。全ての解像度とは、提供される可能性のある解像度の候補の全てを意味し、図２５に示す例では、８Ｋ、４Ｋ、２Ｋのいずれもが該当する。その際、動作制御部１６６は、全ての解像度のそれぞれに対応するＬＥＤランプ１４−２が備える赤色の発光素子に電力を供給する。
【０１０４】
解像度判定部１６５は、分離部１６２から入力された番組構成情報ｉ３に含まれるＭＰＴに基づいて、受信中の放送信号から検出された映像データの解像度を判定する。より具体的には、解像度判定部１６５は、ＭＰＴを解析してアセットタイプが映像であるアセットを判定する。
【０１０５】
動作制御部１６６は、表示可否フラグが、映像の解像度が表示可能解像度であることを示すとき、その解像度に対応するＬＥＤランプ１４−２が備える緑色の発光素子に電力を供給し赤色の発光素子への電力の供給を停止する。動作制御部１６６は、表示可否フラグが、映像の解像度が表示不能解像度であることを示すとき、その解像度に対応するＬＥＤランプ１４−２が備える赤色の発光素子に電力を供給し、緑色の発光素子への電力の供給を停止する。
【０１０６】
従って、ＬＥＤランプ１４−１、１４−２の点滅とその態様により、受信装置１０の動作状態が表わされる。図２６の第２行に示すように、電源ＯＮ／ＯＦＦを示すＬＥＤランプ１４−１が緑色で点灯し、かつ解像度に対応するＬＥＤ１４−２が赤色で点灯することは、そのチャンネルの選局中において、表示不能解像度を有する映像が提供されていることを示す。図２６の第３行に示すように、ＬＥＤランプ１４−１が緑色で点灯し、かつ解像度に対応するＬＥＤ１４−２が緑色で点灯することは、そのチャンネルの選局中において、表示可能解像度を有する映像が提供されていることを示す。
【０１０７】
図２６の第４行に示すように、ＬＥＤランプ１４−１が緑色で点灯し、かつＬＥＤ１４−２がいずれも消灯していることは、そのチャンネルの選局中において、所定期間継続して操作がされないこと等により省エネモードに遷移したことを示す。図２６の第５行に示すように、ＬＥＤランプ１４−１が緑色で点灯し、かつ全ての解像度にそれぞれ対応するＬＥＤランプ１４−２が赤色で点灯すること（全赤）は、解像度判定部１６５が解像度の情報を取得できないことを示す。図２６の第６行に示すように、ＬＥＤランプ１４−１が赤色で点灯し、かつＬＥＤ１４−２がいずれも消灯していることは、操作により電源ＯＦＦが指示されたことを示す。このように、映像が表示されない場合であっても、視聴者は、その原因が、表示部１４の解像度、解像度以外の事由で遷移した省エネモード、選択されたチャンネルにおける放送信号の受信不能、操作により指示された動作の停止、のいずれであるかを直感的に認知することができる。
【０１０８】
次に、本実施形態に係る受信処理について説明する。図２７は、本実施形態に係る受信処理を示すフローチャートである。図２７に示す処理は、ステップＳ１０１〜Ｓ１０５およびＳ１３１〜Ｓ１３７の処理を含む。図２７に示す処理では、ステップＳ１０１の後、ステップＳ１３１に進む。
（ステップＳ１３１）解像度判定部１６５は放送される映像データの解像度の情報を取得できるか否かを判定する。できると判定されるとき（ステップＳ１３１  ＹＥＳ）、ステップＳ１０２に進む。できないと判定されるとき（ステップＳ１３１  ＮＯ）、ステップＳ１３２に進む。
【０１０９】
（ステップＳ１３２）動作制御部１６６は、ステップＳ１０４と同様に、表示部１４の表示状態を所定の表示状態としてコーション映像を表示する状態に制御する。その後、ステップＳ１３３に進む
（ステップＳ１３３）動作制御部１６６は、ステップＳ１１２と同様に、動作モードを視聴モードから省エネモードに遷移する。その後、ステップＳ１３４に進む。
（ステップＳ１３４）動作制御部１６６は、全ての解像度に係るＬＥＤランプ１４−２を赤色で点灯させる。その後、ステップＳ１０１に戻る。
【０１１０】
図２７に示す処理では、ステップＳ１０５の後、ステップＳ１３５に進む。
（ステップＳ１３５）動作制御部１６６は、表示可能解像度と判定した解像度に係るＬＥＤランプ１４−２を緑色で点灯させる。その後、ステップＳ１０１に戻る。
図２７に示す処理では、ステップＳ１０４の後、ステップＳ１３６に進む。
（ステップＳ１３６）動作制御部１６６は、ステップＳ１１２と同様に、動作モードを視聴モードから省エネモードに遷移する。その後、ステップＳ１３７に進む。
（ステップＳ１３７）動作制御部１６６は、表示不能解像度と判定した解像度に係るＬＥＤランプ１４−２を赤色で点灯させる。その後、ステップＳ１０１に戻る。
【０１１１】
なお、上述した例では、表示可能解像度、表示不能解像度のそれぞれに対応するＬＥＤランプ１４−２の表示態様が、緑、赤であり、電源ＯＮ、ＯＦＦのそれぞれに対応するＬＥＤランプ１４−１の表示態様が、緑、赤である場合を例にしたが、これには限られない。表示態様として、他の色が用いられてもよいし、輝度、点滅の有無、点滅周期、などが用いられてもよい。但し、表示可能解像度に対応する表示態様と、電源ＯＮに対応する表示態様が同一または類似していることが好ましい。なお、発光部として用いられる光源は、必ずしもＬＥＤランプに限られない。ＬＥＤランプに代えて、蛍光ランプ、電球などが用いられてもよい。
【０１１２】
また、光源は、図２５に示すように表示部１４の外縁部（ベゼル）に設置されていなくてもよい。光源は、例えば、受信装置１０の筐体、リモートコントローラＲＣ、などに表面に設置されてもよい。また、光源は、受信装置１０本体と電気的に接続されていなくてもよい。その場合には、動作制御部１６６は、点灯の要否、点灯する場合にはその態様を示す制御信号を、それぞれの光源に送信する。光源は、動作制御部１６６から受信した制御信号に従って点灯または消灯する。点灯する際、光源は、制御信号が示す態様で点灯する。
【０１１３】
以上に説明したように、本実施形態に係る受信装置１０において、動作制御部１６６は、映像の解像度が表示不能解像度である場合と、表示可能解像度である場合とで異なる態様で、映像の解像度に対応する発光部を点灯させる。
この構成により、視聴者は、映像が表示されない理由が、放送される映像の解像度が、表示部１４が表示できない表示不能解像度であるか否かを直感的に把握することができる。また、動作制御部１６６は、受信装置１０の起動が指示されるとき映像の解像度に対応する発光部とは別個の第２の発光部を点灯させ、受信装置１０の動作の停止が指示されるとき第２の発光部を消灯させてもよい。
また、解像度判定部１６５が番組で提供される映像の解像度の情報を取得できないとき、動作制御部１６６は、個別の解像度とは異なる態様で発光部を点灯させてもよい。
この構成により、視聴者は解像度の情報を取得できない事由として、選択されているチャンネルでの受信不能を認識することができる。
この構成により、視聴者は、第２の発光部を視認することで、受信装置１０が動作中であるか、受信自身が指示した動作により動作が停止されたかを認識することができる。そのため、視聴者は、映像が表示されない理由が、自身が指示した動作の停止であるか、操作されない期間が所定時間以上継続されたことであるかを、判別することができる。
【０１１４】
（第５の実施形態）
次に、本発明の第５の実施形態について説明する。上述した実施形態と同一の構成については、同一の符号を付してその説明を援用する。
【０１１５】
本実施形態に係る放送システム１において、受信装置１０の動作制御部１６６は、解像度判定部１６５から入力される表示可否フラグが、映像の解像度が表示可能解像度であることを示すとき、ＭＨ−ＥＩＴの番組ごとに設定された映像コンポーネント記述子に記述された映像信号解像度を参照する。動作制御部１６６は、選局処理部１６４２がその時点までに選択した直近のチャンネルで提供される放送予定の番組のうち、提供される映像の解像度が、表示部１４が表示することができる表示可能解像度である番組を表示可能番組として検索する。この直近のチャンネルとは、放送受信部１１が放送信号を受信しているチャンネル、つまり、解像度が表示可能解像度である映像であるならば、その映像が表示されるべき番組が放送されるチャンネルである。検索対象である放送予定の表示可能番組は、例えば、その時点よりも後に放送が開始される番組のうち、解像度が表示可能解像度である映像が提供される表示可能番組であって、放送開始時刻が最も早い番組である。検索対象の番組は、必ずしも１件に限られず、その時点から所定時間（例えば、１〜３時間）以内に放送が開始される複数の表示可能番組であってもよい。
【０１１６】
動作制御部１６６は、検索した表示可能番組に関する受信予約を示す受信予約表示情報を表示部１４に出力する。受信予約表示情報は、少なくとも表示可能番組の受信予約を案内する情報である。つまり、受信予約表示情報には、表示可能番組の受信予約の要否に対する質問が含まれる。受信予約表示情報を見た視聴者に対して、その質問に対する操作による受信予約が促される。動作制御部１６６は、受信予約表示情報の出力開始から所定時間（例えば、１〜３分）以内に受信予約を指示する操作信号が操作入力部１２から入力されるとき、その表示可能番組の受信について予約設定を行う。受信予約表示情報の出力開始から所定時間（例えば、１〜３分）以内に受信予約を指示する操作信号が入力されないとき、動作制御部１６６は、受信予約表示情報の出力を停止し、動作モードを視聴モードから省エネモードに変更する。
【０１１７】
予約設定が行われた場合、動作制御部１６６は、その表示可能番組の番組開始時刻になるまで待機する。その後、動作制御部１６６は、その時点における動作モードが省エネモードであるとき、動作モードを省エネモードから視聴モードに変更する。ここで、動作制御部１６６は、映像処理部１６４３に映像データの復号と、復号により得られる映像信号の表示部１４への出力を再開させる。これにより、表示可能番組の映像が表示部１４に表示される。
【０１１８】
なお、その時点における動作モードが視聴モードであって、他のチャンネルが選局されている場合には、動作制御部１６６は、放送受信部１１に放送信号を受信するチャンネルとして、その表示可能番組が提供されるチャンネルを通知する。放送受信部１１は、通知されたチャンネルで放送信号を受信する。従って、通知されるチャンネルで提供される表示可能番組の映像が表示部１４に表示される。
【０１１９】
次に、受信予約表示情報の例について説明する。図２８は、本実施形態に係る受信予約表示情報の一例を示す図である。図２８に示す例では、受信予約表示情報として、放送開始時刻がその時点から最も早い放送予定の表示可能番組の放送開始時刻、番組名および予約の要否を視聴者に問い合わせるメッセージが含まれる。具体的には、「次の放送は、１１：００〜「こんにちはジャパン」  この番組は視聴可能です  予約しますか？  はい  いいえ」、とのメッセージが表示部１４に表示される。受信予約表示情報は、その時点において放送される番組「８Ｋ  スポーツ」で提供される映像の解像度が表示不能解像度であると判定されたときに表示される。そして、「こんにちはジャパン」は、図２２に示すように番組「８Ｋ  スポーツ」が放送されるチャンネルで放送予定の番組のうち、解像度が表示可能解像度であって、最も早く放送が開始される番組である。
【０１２０】
受信予約表示情報の表示開始から所定時間以内に操作信号により「はい」の文字が指示されるとき、動作制御部１６６は、受信予約表示情報を消去し、表示可能番組である「こんにちはジャパン」の受信予約を設定する。動作制御部１６６は、現時刻が１１時になったとき、受信予約が設定された番組「こんにちはジャパン」が提供される受信信号の受信を開始し、その番組の映像を表示部１４に表示させる。操作信号により「いいえ」の文字が指示されるとき、または受信予約表示情報の表示開始から所定時間以内に操作信号が入力されないとき、動作制御部１６６は、受信予約表示情報の表示を消去し、動作モードを視聴モードから省エネモードに変更する。
なお、「この放送は視聴できません」とのメッセージは、その時点で放送される番組の映像の解像度が表示不能解像度であるときに表示させる表示不可メッセージである。「Ｃｈ１」は、その時点で選局されているチャンネルのチャンネル番号を示す。
【０１２１】
次に、本実施形態に係る受信処理について説明する。図２９は、本実施形態に係る受信処理を示すフローチャートである。図２９に示す処理は、ステップＳ１０１〜Ｓ１０３、Ｓ１０５およびＳ１４１〜Ｓ１４５の処理を含む。図２９に示す処理では、映像解像度が表示不能解像度であると判定されるとき（ステップＳ１０３  ＮＯ）、ステップＳ１４１に進む。
【０１２２】
（ステップＳ１４１）動作制御部１６６は、映像処理部１６４３に映像データの復号を停止させ、表示不可メッセージを表示部１４に表示させるステップＳ１４１の処理は、ステップＳ１０４の処理と同様であってもよい。その後、ステップＳ１４２の処理に進む。
（ステップＳ１４２）動作制御部１６６は、ＭＨ−ＥＩＴを参照して、選局中のチャンネルの放送予定の番組から、解像度が表示可能解像度である映像が提供される表示可能番組を検索する。その後、ステップＳ１４３に進む。
（ステップＳ１４３）動作制御部１６６は、受信予約表示情報を表示部１４に表示させ、表示後、所定時間内において表示可能番組の受信予約の要否について操作信号の操作入力部１２からの入力を待ち受ける。受信予約を指示する操作信号が入力されるとき（ステップＳ１４３  ＹＥＳ）、ステップＳ１４４に進む。受信予約を指示する操作信号が入力されないとき（ステップＳ１４３  ＮＯ）、ステップＳ１４５に進む。
【０１２３】
（ステップＳ１４４）動作制御部１６６は、表示可能番組について受信予約を設定する。その後、ステップＳ１４５に進む。
（ステップＳ１４５）動作制御部１６６は、動作モードを視聴モードから省エネモードに変更し、映像処理部１６４３に映像データの復号を停止させる。その後、ステップＳ１０１に戻る。但し、受信予約が設定された場合には、動作制御部１６６は、現時刻が表示可能番組の放送開始時間になったとき、表示可能番組が放送されるチャンネルの放送信号の受信を放送受信部１１に開始させる。また、動作制御部１６６は、映像処理部１６４３に受信した映像データの復号を開始し、復号により得られた映像信号の表示部１４への出力を開始させる。
【０１２４】
なお、上述した例では、受信予約表示情報の表示開始後、所定時間以内に受信予約を指示する操作信号が入力されない場合、動作制御部１６６は、動作モードを省エネモードに変更することを例にしたが、これには限られない。その場合、動作制御部１６６は、ＭＨ−ＥＩＴを参照して、その時点において放送されている番組のうち、解像度が表示可能解像度である映像が提供される番組を特定し、その番組を放送するチャンネルのいずれかを特定する。そして、動作制御部１６６は、特定したチャンネルでの放送信号の受信を放送受信部１１に指示する。これにより、動作モードを視聴モードに維持したまま、解像度が表示可能解像度である映像が表示される。また、その場合、動作制御部１６６は、受信装置１０の各構成要素への電力の供給を停止（電源ＯＦＦ）してもよい。電力の供給停止前に、受信予約が設定されている場合には、動作制御部１６６は、受信装置１０の各構成要素への電力の供給を再開（電源ＯＮ）したうえで、表示可能番組が放送されるチャンネルの放送信号の受信開始を放送受信部１１に指示し、映像データの復号と復号により得られた映像信号の表示部１４への出力開始を映像処理部１６４３に指示する。
【０１２５】
また、上述した例では、受信予約が設定されている場合において、動作制御部１６６が放送される番組の映像を表示部１４に表示させることを例にしたが、これには限られない。動作制御部１６６は、その映像の表示に代え、または、その映像の表示と併せて、その番組の映像データを記憶部１５に記憶（録画）してもよい。
【０１２６】
以上に説明したように、本実施形態に係る受信装置１０において、動作制御部１６６は、映像の解像度が表示不能解像度である場合、映像の番組が放送されるチャンネルにおいて放送予定の番組から映像の解像度が表示可能解像度である表示可能番組を検索する。そして、動作制御部１６６は、検索した表示可能番組の受信予約に関する案内情報を表示部１４に表示させる。
この構成により、解像度が表示不能解像度である映像が提供される番組が放送されるチャンネルで放送予定の番組から、解像度が表示可能解像度である映像が提供される表示可能番組が視聴者に案内され、その受信予約が促される。そのため、視聴者の意思により、その番組を受信することで受信者の満足感を向上させることができる。また、選局されたチャンネルでの番組の受信が促されることにより、解像度が表示不能解像度である映像が提供される番組の放送による、そのチャンネルの視聴率の低下が抑えられる。
【０１２７】
なお、上述した実施形態では、放送システム１におけるデジタル放送のメディアトランスポート方式としてＭＭＴ方式が採用されている場合について説明したが、ＭＭＴ方式に限定されるものではない。例えば、メディアトランスポート方式として、ＭＰＥＧ−２  ＴＳ（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ）方式やＲＴＰ（Ｒｅａｌ−ｔｉｍｅ  Ｔｒａｎｓｐｏｒｔ  Ｐｒｏｔｏｃｏｌ）方式が採用されてもよい。
【０１２８】
また、上述した実施形態では、番組配列情報ｉ２と番組構成情報ｉ３が、番組データｉ１と多重化された放送信号で搬送される場合について説明したが、番組配列情報ｉ２と番組構成情報ｉ３が送信される方法は、上述した方法に限定されるものではない。例えば、受信装置１０は、通信伝送路ＮＴに接続されたサーバ装置との通信によって番組配列情報ｉ２と番組構成情報ｉ３を取得してもよい。
【０１２９】
また、上述した実施形態では、受信装置１０が、主にテレビジョン受像装置である場合を例にしたが、上述した構成に限定されるものではない。例えば、各実施形態に係る受信装置１０は、拡声部１３と表示部１４の一方又は両方との間で各種の信号を送受信できれば、その一方又は両方は着脱可能であってもよい。受信装置１０と着脱可能である表示部１４が受信装置１０と接続されたとき、制御部１６は、表示部１４に設定された機器情報を取得し、取得した機器情報に基づいて表示部１４の解像度を判定してもよい。例えば、機器情報に解像度を示す情報が含まれる場合には、制御部１６は、その解像度を採用する。機器情報が表示部１４の機種を示す場合には、制御部１６は、予め記憶部１５に記憶された解像度データを参照して、機器情報が示す型番に対応する解像度を定める。解像度データは、機種毎の解像度を示すデータである。
なお、第３の実施形態に係る受信装置１０では、通信部１７とデータ入出力部１８の一方又は両方が省略されてもよい。
【０１３０】
なお、例えば、受信装置１０の一部、例えば、制御部１６や、制御部１６が備える表示処理部１６４、解像度判定部１６５、動作制御部１６６による処理を実現するためのプログラムを、コンピュータ読み取り可能な記録媒体に記録して、当該記録媒体に記録されたプログラムをコンピュータシステムに読み込ませ、実行することにより、上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えば、ＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現するもの、いわゆる差分ファイル（差分プログラム）であってもよい。
【０１３２】
受信装置１０の一部、例えば、制御部１６や、制御部１６が備える表示処理部１６４、解像度判定部１６５、動作制御部１６６、又は全部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１３３】
なお、本発明は、次の態様でも実施することができる。
（１）映像を含む番組の放送信号を受信する受信部と、前記映像の解像度が、前記映像を表示部が表示できない表示不能解像度である場合、前記表示部の表示状態を所定の表示状態に制御し、前記映像の解像度が、前記映像を前記表示部が表示できる表示可能解像度である場合、前記表示部に前記映像を表示させる表示処理部と、を備える受信装置。
【０１３４】
（２）前記映像の解像度が、前記表示不能解像度である場合、所定の消費電力よりも消費電力が低い動作モードである消費電力低減モードで前記表示処理部を動作させ、操作入力に応じて前記消費電力低減モードの終了時刻を定める動作制御部、をさらに備える（１）の受信装置。
【０１３５】
（３）前記動作制御部は、前記映像の解像度が前記表示不能解像度である場合と、前記表示可能解像度である場合とで異なる態様で、前記映像の解像度に対応する発光部を点灯させる（２）の受信装置。
【０１３６】
（４）前記動作制御部は、前記映像の解像度が前記表示不能解像度である場合、前記映像の番組が放送されるチャンネルにおいて放送予定の番組から映像の解像度が前記表示可能解像度である表示可能番組を検索し、前記表示可能番組の受信予約に関する案内情報を前記表示部に表示させる（２）または（３）の受信装置。
【０１３７】
（５）前記放送信号で搬送され、放送中または放送予定の番組に関する番組配列情報から受信中の番組に対応する他のコンテンツに関するリンク情報を取得し、前記映像の解像度が、前記表示不能解像度である場合、前記受信部に前記他のコンテンツを受信させる動作制御部、をさらに備える（１）から（４）のいずれかの受信装置。
【０１３８】
（６）前記番組配列情報は、番組毎の番組情報を含み、前記番組毎の番組情報を当該番組の放送時間ならびにチャンネルに基づいて配列し、前記リンク情報の少なくとも一部を受信中の番組の番組情報を表示する表示領域に表す電子番組表を生成する番組表生成部と、を備える（５）の受信装置。
【０１３９】
（７）前記動作制御部は、前記他のコンテンツが利用できるか否かを判定する（５）または（６）の受信装置。
【０１４０】
（８）受信装置における受信方法であって、映像を含む番組の放送信号を受信する受信過程と、前記映像の解像度が、前記映像を表示部が表示できない表示不能解像度である場合、前記表示部の表示状態を所定の表示状態に制御し、前記映像の解像度が、前記映像を前記表示部が表示できる表示可能解像度である場合、前記表示部に前記映像を表示させる表示処理過程と、を有する受信方法。
【０１４１】
（９）映像を含む番組の放送信号を受信する受信部を備える受信装置のコンピュータに、前記映像の解像度が、前記映像を表示部が表示できない表示不能解像度である場合、前記表示部の表示状態を所定の表示状態に制御し、前記映像の解像度が、前記映像を前記表示部が表示できる表示可能解像度である場合、前記表示部に前記映像を表示させる表示処理ステップ、を実行させるためのプログラム。
【０１４２】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１４３】
１…放送システム、１０…受信装置、１１…放送受信部、１２…操作入力部、１３…拡声部、１４…表示部、１５…記憶部、１６…制御部、１６１…復調部、１６２…分離部、１６３…音声処理部、１６４…表示処理部、１６４１…番組表生成部、１６４２…選局処理部、１６４３…映像処理部、１６５…解像度判定部、１６６…動作制御部、１７…通信部、１８…データ入出力部、２０…送信装置、３０…表示装置
【図１】
2017011697.tif 000003
【図２】
2017011697.tif 000004
【図３】
2017011697.tif 000005
【図４】
2017011697.tif 000006
【図５】
2017011697.tif 000007
【図６】
2017011697.tif 000008
【図７】
2017011697.tif 000009
【図８】
2017011697.tif 000010
【図９】
2017011697.tif 000011
【図１０】
2017011697.tif 000012
【図１１】
2017011697.tif 000013
【図１２】
2017011697.tif 000014
【図１３】
2017011697.tif 000015
【図１４】
2017011697.tif 000016
【図１５】
2017011697.tif 000017
【図１６】
2017011697.tif 000018
【図１７】
2017011697.tif 000019
【図１８】
2017011697.tif 000020
【図１９】
2017011697.tif 000021
【図２０】
2017011697.tif 000022
【図２１】
2017011697.tif 000023
【図２２】
2017011697.tif 000024
【図２３】
2017011697.tif 000025
【図２４】
2017011697.tif 000026
【図２５】
2017011697.tif 000027
【図２６】
2017011697.tif 000028
【図２７】
2017011697.tif 000029
【図２８】
2017011697.tif 000030
【図２９】
2017011697.tif 000031